(57)【特許請求の範囲】
【請求項１】
保険者に加入している複数の加入者のそれぞれに関する属性情報と、前記複数の加入者それぞれの健診情報を含む健康状態関連情報と、前記複数の加入者それぞれに関して医療機関から前記保険者に対して発行されたレセプト情報を含む健康管理関連情報とを取得する取得手段と、
前記健康状態関連情報に基づいて、前記複数の加入者それぞれの健康のリスクレベルを導出するリスクレベル導出手段と、
前記健康管理関連情報に基づいて、前記複数の加入者それぞれの健康管理状況の意識レベルを導出する意識レベル導出手段と、
前記複数の加入者のそれぞれに対応付けて、前記リスクレベルと前記健康管理状況の意識レベルとを記憶する記憶手段と、
前記記憶手段に記憶された前記リスクレベルと前記意識レベルとの組み合わせに基づいて、前記複数の加入者の中から、保健事業の提供が必要と判断される加入者を選定する選定手段と、
を備える情報処理装置。
【請求項２】
前記健康状態関連情報は、前記加入者の健康状態の診断結果、前記加入者の病歴および病気の治療歴を含み、前記健康状態関連情報および前記健康管理関連情報の少なくとも一方は、前記加入者のアンケート情報を含む請求項１に記載の情報処理装置。
【請求項３】
前記意識レベル導出手段は、前記レセプト情報から前記健康管理状況として治療内容および治療履歴を抽出して、前記治療内容および前記治療履歴から前記加入者の治療への前記意識レベルを導出する請求項１または２記載の情報処理装置。
【請求項４】
前記リスクレベル導出手段は、さらに前記健康管理関連情報に基づいて、前記加入者の健康のリスクレベルを導出する請求項１乃至３のいずれか１項に記載の情報処理装置。
【請求項５】
前記選定手段は、前記健康管理関連情報として含まれる服薬情報、または、特定のリスク無しによる除外なしに、保健事業の提供が必要と判断される加入者を選定する請求項１乃至４のいずれか１項に記載の情報処理装置。
【請求項６】
前記加入者と、前記健康状態関連情報および前記健康管理関連情報とを関連付けて記憶するデータベースをさらに備える請求項１乃至５のいずれか１項に記載の情報処理装置。
【請求項７】
前記選定手段により保健事業の提供が必要と判断される加入者の情報を提示する提示手段をさらに備える請求項１乃至６のいずれか１項に記載の情報処理装置。
【請求項８】
前記提示手段は、保健事業の提供が必要と判断される加入者の一覧をオペレータに提示する手段と、保健事業の提供が必要として選定された旨を加入者に通知する手段と、を含む請求項７に記載の情報処理装置。
【請求項９】
前記記憶手段は、前記保険者に加入している前記複数の加入者のそれぞれに対応付けて、関連する複数種類のリスクにおけるリスクレベルと前記健康管理状況の意識レベルとを記憶し、
前記選定手段は、前記複数種類のリスクにおけるリスクレベルと前記意識レベルの組み合わせに基づいて、保健事業の提供が必要と判断される加入者を選定する請求項１乃至８のいずれか１項に記載の情報処理装置。
【請求項１０】
前記記憶手段は、前記保険者に加入している前記複数の加入者のそれぞれに対応付けて、さらに、リスクレベルの重度、重度レベルであるリスク数および治療レベルを記憶し、
前記選定手段は、前記記憶手段に記憶されたリスクレベルの重度、重度レベルであるリスク数および治療レベルの少なくとも１つに基づいて、保健事業の提供が必要な度合いを示す必要レベルを設定する必要レベル設定手段を有し、さらに前記設定された必要レベルに基づいて、保健事業の提供が必要と判断される加入者を選定する請求項１乃至９のいずれか１項に記載の情報処理装置。
【請求項１１】
保健事業の提供が必要と判断される加入者の選定条件として、リスクの種類を指定するリスク指定手段と、
前記選定条件として、健康管理状況の意識レベルを指定する健康管理状況指定手段と、
をさらに備え、
前記選定手段は、前記記憶手段に記憶されている、前記リスク指定手段が指定した前記リスクの種類に対応するリスクレベルと、前記健康管理状況指定手段が指定した前記健康管理状況の前記意識レベルとの組み合わせに基づいて、保健事業の提供が必要と判断される加入者を選定する請求項１乃至１０のいずれか１項に記載の情報処理装置。
【請求項１２】
前記取得手段は、さらに前記加入者の保健事業への参加履歴を取得し、
前記意識レベル導出手段は、さらに前記保健事業への参加履歴に基づいて、前記加入者の治療への意識レベルを導出する請求項３に記載の情報処理装置。
【請求項１３】
前記加入者と、前記健康状態関連情報と、前記健康管理関連情報としての前記レセプト情報および前記保健事業への参加履歴とを関連付けて記憶するデータベースをさらに備える請求項１２に記載の情報処理装置。
【請求項１４】
保健事業の提供が必要と判断される加入者の選定条件として、リスクの種類を指定するリスク指定手段と、
前記選定条件として、健康管理状況に含まれる治療状況を指定する治療状況指定手段と、
前記選定条件として、前記健康管理状況に含まれる前記保健事業への参加履歴を指定する参加履歴指定手段と、
をさらに備え、
前記選定手段は、前記リスク指定手段が指定した前記リスクの種類に対応するリスクレベルと、前記治療状況指定手段が指定した治療状況および前記参加履歴指定手段が指定した前記保健事業への参加履歴から導出された意識レベルとの組み合わせに基づいて、保健事業の提供が必要と判断される加入者を選定する請求項１２または１３に記載の情報処理装置。
【請求項１５】
前記属性情報は、前記加入者の所属場所の情報と前記所属場所での前記加入者を取り巻く環境情報とを含む請求項１乃至１４のいずれか１項の情報処理装置。
【請求項１６】
前記保険者に加入する加入者に提供するための複数の保健事業のそれぞれを、加入者の参加条件を対応付けて登録する保健事業登録手段と、
前記選定手段により選定された加入者に対して、前記保健事業登録手段に登録された前記複数の保健事業から前記参加条件を満たす適切な保健事業を選定する第１保健事業選定手段をさらに備える請求項１乃至１５のいずれか１項に記載の情報処理装置。
【請求項１７】
前記保険者に加入する加入者に提供するための複数の保健事業のそれぞれを、加入者の参加条件を対応付けて登録する保健事業登録手段と、
前記保健事業登録手段に登録された前記複数の保健事業から所定の保健事業を選定する第２保健事業選定手段をさらに備え、
前記選定手段は、前記第２保健事業選定手段により選定された前記所定の保健事業の前記参加条件に対応して、前記複数の加入者の中から前記所定の保健事業の提供が望ましい加入者を選定する請求項１乃至１６のいずれか１項に記載の情報処理装置。
【請求項１８】
取得手段が、保険者に加入している複数の加入者のそれぞれに関する属性情報と、前記複数の加入者それぞれの健診情報を含む健康状態関連情報と、前記複数の加入者それぞれに関して医療機関から前記保険者に対して発行されたレセプト情報を含む健康管理関連情報とを取得する取得ステップと、
リスクレベル導出手段が、前記健康状態関連情報に基づいて、前記複数の加入者それぞれの健康のリスクレベルを導出するリスクレベル導出ステップと、
意識レベル導出手段が、前記健康管理関連情報に基づいて、前記複数の加入者それぞれの健康管理状況の意識レベルを導出する意識レベル導出ステップと、
前記保険者に加入している前記複数の加入者のそれぞれに対応付けて、前記リスクレベルと前記健康管理状況の意識レベルとを記憶手段に記憶する記憶ステップと、
選定手段が、前記記憶手段に記憶された前記リスクレベルと前記健康管理状況の意識レベルとの組み合わせに基づいて、前記複数の加入者の中から保健事業の提供が必要と判断される加入者を選定する選定ステップと、
を含む情報処理方法。
【請求項１９】
保険者に加入している複数の加入者のそれぞれに関する属性情報と、前記複数の加入者それぞれの健診情報を含む健康状態関連情報と、前記複数の加入者それぞれに関して医療機関から前記保険者に対して発行されたレセプト情報を含む健康管理関連情報とを取得する取得ステップと、
前記健康状態関連情報に基づいて、前記複数の加入者それぞれの健康のリスクレベルを導出するリスクレベル導出ステップと、
前記健康管理関連情報に基づいて、前記複数の加入者それぞれの健康管理状況の意識レベルを導出する意識レベル導出ステップと、
前記保険者に加入している前記複数の加入者のそれぞれに対応付けて、前記リスクレベルと前記健康管理状況の意識レベルとを記憶手段に記憶する記憶ステップと、
前記記憶手段に記憶された前記リスクレベルと前記健康管理状況の意識レベルとの組み合わせに基づいて、前記複数の加入者の中から保健事業の提供が必要と判断される加入者を選定する選定ステップと、
をコンピュータに実行させる情報処理プログラム。
【発明の詳細な説明】
【技術分野】
【０００１】
本発明は、保健事業の管理技術に関する。
【背景技術】
【０００２】
上記技術分野において、特許文献１には、被保険者の対象者に対して保健事業を実施して、対象者のレセプトデータや検診結果データにより保健事業を評価してその実施を支援する技術が開示されている。
【先行技術文献】
【特許文献】
【０００３】
【特許文献１】特開２０１６−１７７６４４号公報
【発明の概要】
【発明が解決しようとする課題】
【０００４】
しかしながら、上記文献に記載の技術では、対象となる症状におけるハイリスク者を保健事業の対象者に選定しており、対象者の絞り込みに健康管理状況を考慮していなかった。そして、対象者の選定と保健事業の選定とを対応付けることにより、保健事業の効率的な実施を考慮していなかった。
【０００５】
本発明の目的は、上述の課題を解決する技術を提供することにある。
【課題を解決するための手段】
【０００７】
上記目的を達成するため、本発明に係る情報処理装置は、
保険者に加入している複数の加入者のそれぞれに関する属性情報と、前記複数の加入者それぞれの健診情報を含む健康状態関連情報と、前記複数の加入者それぞれに関して医療機関から前記保険者に対して発行されたレセプト情報を含む健康管理関連情報とを取得する取得手段と、
前記健康状態関連情報に基づいて、前記複数の加入者それぞれの健康のリスクレベルを導出するリスクレベル導出手段と、
前記健康管理関連情報に基づいて、前記複数の加入者それぞれの健康管理状況の意識レベルを導出する意識レベル導出手段と、
前記保険者に加入している前記複数の加入者のそれぞれに対応付けて、前記リスクレベルと前記健康管理状況の意識レベルとを記憶する記憶手段と、
前記記憶手段に記憶された前記リスクレベルと前記健康管理状況の意識レベルとの組み合わせに基づいて、前記複数の加入者の中から保健事業の提供が必要と判断される加入者を選定する選定手段と、
を備える。
【０００８】
上記目的を達成するため、本発明に係る情報処理方法は、
取得手段が、保険者に加入している複数の加入者のそれぞれに関する属性情報と、前記複数の加入者それぞれの健診情報を含む健康状態関連情報と、前記複数の加入者それぞれに関して医療機関から前記保険者に対して発行されたレセプト情報を含む健康管理関連情報とを取得する取得ステップと、
リスクレベル導出手段が、前記健康状態関連情報に基づいて、前記複数の加入者それぞれの健康のリスクレベルを導出するリスクレベル導出ステップと、
意識レベル導出手段が、前記健康管理関連情報に基づいて、前記複数の加入者それぞれの健康管理状況の意識レベルを導出する意識レベル導出ステップと、
前記保険者に加入している前記複数の加入者のそれぞれに対応付けて、前記リスクレベルと前記健康管理状況の意識レベルとを記憶手段に記憶する記憶ステップと、
選定手段が、前記記憶手段に記憶された前記リスクレベルと前記健康管理状況の意識レベルとの組み合わせに基づいて、前記複数の加入者の中から保健事業の提供が必要と判断される加入者を選定する選定ステップと、
を含む。
【０００９】
上記目的を達成するため、本発明に係る情報処理プログラムは、
保険者に加入している複数の加入者のそれぞれに関する属性情報と、前記複数の加入者それぞれの健診情報を含む健康状態関連情報と、前記複数の加入者それぞれに関して医療機関から前記保険者に対して発行されたレセプト情報を含む健康管理関連情報とを取得する取得ステップと、
前記健康状態関連情報に基づいて、前記複数の加入者それぞれの健康のリスクレベルを導出するリスクレベル導出ステップと、
前記健康管理関連情報に基づいて、前記複数の加入者それぞれの健康管理状況の意識レベルを導出する意識レベル導出ステップと、
前記保険者に加入している前記複数の加入者のそれぞれに対応付けて、前記リスクレベルと前記健康管理状況の意識レベルとを記憶手段に記憶する記憶ステップと、
前記記憶手段に記憶された前記リスクレベルと前記健康管理状況の意識レベルとの組み合わせに基づいて、前記複数の加入者の中から保健事業の提供が必要と判断される加入者を選定する選定ステップと、
をコンピュータに実行させる。
【発明の効果】
【００１３】
本発明によれば、効率的に保健事業を管理することができる。
【図面の簡単な説明】
【００１４】
【図１】本発明の第１実施形態に係る情報処理システムの構成を示すブロック図である。
【図２Ａ】本発明の第２実施形態に係る情報処理装置としての保健事業管理支援サーバを含む情報処理システムの構成を示す図である。
【図２Ｂ】本発明の第２実施形態に係る情報処理装置としての保健事業管理支援サーバを含む情報処理システムの動作概要を示す図である。
【図２Ｃ】本発明の第２実施形態に係る情報処理装置としての保健事業管理支援サーバが有するデータベースの構成を示す図である。
【図２Ｄ】本発明の第２実施形態に係る情報処理装置としての保健事業管理支援サーバにおける選定テーブルの構成を示す図である。
【図３Ａ】本発明の第２実施形態に係る情報処理装置としての保健事業管理支援サーバを含む情報処理システムにおける、医療情報収集の動作手順を示すシーケンス図である。
【図３Ｂ】本発明の第２実施形態に係る情報処理装置としての保健事業管理支援サーバを含む情報処理システムにおける、選定された加入者に対応付けた保健事業選定の動作手順を示すシーケンス図である。
【図３Ｃ】本発明の第２実施形態に係る情報処理装置としての保健事業管理支援サーバを含む情報処理システムにおける、選定された加入者に対応付けた保健事業選定の処理手順を示すフローチャートである。
【図３Ｄ】本発明の第２実施形態に係る情報処理装置としての保健事業管理支援サーバを含む情報処理システムにおける、保健事業の提供が必要な加入者選定の詳細な動作手順を示すシーケンス図である。
【図３Ｅ】本発明の第２実施形態に係る情報処理装置としての保健事業管理支援サーバを含む情報処理システムにおける、選定された保健事業に対応付けた加入者選定の動作手順を示すシーケンス図である。
【図３Ｆ】本発明の第２実施形態に係る情報処理装置としての保健事業管理支援サーバを含む情報処理システムにおける、選定された保健事業に対応付けた加入者選定の処理手順を示すフローチャートである。
【図３Ｇ】本発明の第２実施形態に係る情報処理装置としての保健事業管理支援サーバを含む情報処理システムにおける、保健事業に対応付けた加入者選定の詳細な動作手順を示すシーケンス図である。
【図４Ａ】本発明の第２実施形態に係る情報処理装置としての保健事業管理支援サーバによる保健事業の提供が必要な加入者選定の動作概要を示す図である。
【図４Ｂ】本発明の第２実施形態に係る健康管理状況も考慮して導出されるリスクレベルの概要を示す図である。
【図５Ａ】本発明の第２実施形態に係るクラウドサーバの機能構成を示すブロック図である。
【図５Ｂ】本発明の第２実施形態に係るクラウドサーバ内に生成された情報処理装置としての仮想の保健事業管理支援サーバの機能構成を示すブロック図である。
【図６】本発明の第２実施形態に係る取得データベースの構成を示す図である。
【図７Ａ】本発明の第２実施形態に係る処理データベースの構成を示す図である。
【図７Ｂ】本発明の第２実施形態に係る保健事業が必要な加入者である対象者を求める一例を示す図である。
【図７Ｃ】本発明の第２実施形態に係る保健事業が必要な加入者である対象者を求める他例を示す図である。
【図７Ｄ】本発明の第２実施形態に係る加入者の意識レベルを導出する意識レベル導出テーブルの構成を示す図である。
【図８】本発明の第２実施形態に係る保健事業対象者選定テーブルの構成を示す図である。
【図９】本発明の第２実施形態に係る情報処理装置としての仮想の保健事業管理支援サーバのハードウェア構成を示すブロック図である。
【図１０Ａ】本発明の第２実施形態に係る情報処理装置としての仮想の保健事業管理支援サーバの処理手順を示すフローチャートである。
【図１０Ｂ】本発明の第２実施形態に係る管理データ取得処理の手順を示すフローチャートである。
【図１０Ｃ】本発明の第２実施形態に係る保健事業対象者選定処理の手順を示すフローチャートである。
【図１１】本発明の第２実施形態に係る通信端末の機能構成を示すブロック図である。
【図１２Ａ】本発明の第２実施形態に係る通信端末の処理手順を示すフローチャートである。
【図１２Ｂ】本発明の第２実施形態に係る保健事業対象者要求処理の手順を示すフローチャートである。
【図１３】本発明の第３実施形態に係る情報処理装置としての保健事業管理支援サーバを含む情報処理システムの動作概要を示す図である。
【図１４】本発明の第３実施形態に係る情報処理装置としての保健事業管理支援サーバを含む情報処理システムの動作手順を示すシーケンス図である。
【図１５】本発明の第３実施形態に係るクラウドサーバ内の情報処理装置としての仮想の保健事業管理支援サーバの機能構成を示すブロック図である。
【図１６】本発明の第３実施形態に係る取得データベースの構成を示す図である。
【図１７Ａ】本発明の第３実施形態に係る処理データベースの構成を示す図である。
【図１７Ｂ】本発明の第２実施形態に係る加入者の意識レベルを導出する意識レベル導出テーブルの構成を示す図である。
【図１８】本発明の第３実施形態に係る保健事業対象者選定テーブルの構成を示す図である。
【図１９Ａ】本発明の第３実施形態に係る管理データ取得処理の手順を示すフローチャートである。
【図１９Ｂ】本発明の第３実施形態に係る保健事業対象者選定処理の手順を示すフローチャートである。
【図２０】本発明の第４実施形態に係る情報処理装置としての保健事業管理支援サーバを含む情報処理システムの動作概要を示す図である。
【図２１】本発明の第４実施形態に係るクラウドサーバ内の情報処理装置としての仮想の保健事業管理支援サーバの機能構成を示すブロック図である。
【図２２】本発明の第４実施形態に係る処理データベースの構成を示す図である。
【図２３Ａ】本発明の第４実施形態に係る保健事業対象者選定テーブルの構成を示す図である。
【図２３Ｂ】本発明の第４実施形態に係る保健事業の必要レベルを求める一例を示す図である。
【図２３Ｃ】本発明の第４実施形態に係る必要レベルを導出する必要レベル導出テーブルの構成を示す図である。
【図２４】本発明の第４実施形態に係る保健事業対象者選定処理の手順を示すフローチャートである。
【発明を実施するための形態】
【００１５】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１６】
本明細書で用いられる以下の文言は、次のように定義される。「保険者」は、「公的保険者」と「民間保険者」とを含む。例えば、「公的保険者」としては「健康保険組合」が含まれる。また、「対象者」は、保険者に加入する加入者の中で保健事業の提供が必要とされる加入者のことを示す。また、「健康づくり業者」は「保健事業業者」とも称される。「個人の属性情報」は、性別や年齢、職種や役職、勤務状況などの加入者に関連する情報を示す。「健康状態関連情報」は、健診情報やストレスチェックに代表される健康状態を示す情報などの健康状態を表す情報を含む。「健康管理関連情報」は、レセプト情報や保健事業参加状況、生活様式に代表される、健康管理の状況や健康管理行動への参加の意思を示す情報を含む。「健康管理状況」は、レセプト情報に基づく「治療状況」や、保健事業参加状況、生活様式に基づく「参加内容」などの健康管理に取り組んでいる状況を含む。「保健事業関連情報」は、実施者を問わず、保健事業の実施内容を示す情報である。
【００１７】
［第１実施形態］
本発明の第１実施形態としての情報処理システム１００について、図１を用いて説明する。情報処理システム１００は、保健事業を管理するシステムである。
【００１８】
図１に示すように、情報処理システム１００は、加入者選定部１０１と、保健事業選定部１０２と、制御部１０３と、を含む。加入者選定部１０１は、保険者に加入する加入者の中で保健事業の提供が必要とされる加入者を選定する。保健事業選定部１０２は、保険者に加入する加入者に提供する保健事業を選定する。制御部１０３は、選定される保健事業と選定される加入者とを対応付けるよう制御する。
【００１９】
そして、加入者選定部１０１は、取得部１１１と、導出部１１２と、評価部１１３と、選定部１１４と、を有する。取得部１１１は、保険者に加入する加入者に関する個人の属性情報と、加入者に関して収集された健診情報を含む健康状態関連情報と、加入者に対する医療機関からのレセプト情報を含む健康管理関連情報とを取得する。導出部１１２は、健康状態関連情報に基づいて、加入者の健康のリスクレベルを導出する。評価部１１３は、健康管理関連情報に基づいて、加入者の健康管理状況を認識する。選定部１１４は、リスクレベルと健康管理状況とを考慮して、保険者に加入する加入者の中で保健事業の提供が必要とされる加入者を選定する。
【００２０】
本実施形態によれば、加入者の健康管理状況を考慮して保健事業の対象者を絞り込み、対象者の選定と保健事業の選定とを対応付けることにより、効率的に保健事業を管理することができる。
【００２１】
［第２実施形態］
次に、本発明の第２実施形態に係る情報処理装置としての保健事業管理支援サーバについて説明する。本実施形態に係る保健事業管理支援サーバは、保健事業の提供が必要とされる加入者の選定と、提供する保健事業の選定とを対応付ける制御を行う。保健事業管理支援サーバは、特に保健事業の提供が必要とされる加入者の選定において、健診情報を含む健康状態関連情報に基づいて導出されたリスクレベルと、レセプト情報を含む健康管理関連情報に基づいて認識された健康管理状況とを考慮する。そして、保健事業管理支援サーバは、保健事業の提供が必要とされる加入者を選定することにより、保健事業を管理する。すなわち、保健事業の提供が必要とされる加入者の選定条件として、リスクの種類を指定するリスク指定や健康管理状況を指定する健康管理状況指定が行われる。なお、健康管理状況としては、レセプト情報から抽出された治療内容と、レセプト情報から導出された加入者の治療への意識レベルとが含まれる。なお、リスクレベルの導出には、さらに健康管理関連情報を考慮してもよい。また、保健事業の提供が必要とされる加入者は、健康管理関連情報として含まれる服薬情報、または、特定のリスク無しによる除外なしに選定される。また、本実施形態の保健事業管理支援サーバは、加入者と、健康状態関連情報および健康管理情報とを関連付けて記憶するデータベースを有する。そして、保健事業の提供が必要とされた加入者の情報を提示する。その提示には、保健事業の提供が必要とされた対象者一覧のオペレータへの提示と、保健事業の提供が必要として選定された旨を加入者に通知するメール送信と、が含まれる。さらに、関連する複数種類のリスクのリスクレベルと治療状況とを考慮して、保健事業の提供が必要とされる加入者が選定される。すなわち、保健事業の提供が必要とされる加入者の選定条件として、治療状況を指定する治療状況指定が行われる。なお、保健事業の提供が必要とされた加入者には、提供が必須な加入者や提供が望ましい加入者などの種々の必要レベルが含まれており、その旨が提示されてもよい。また、提供される保健事業についても、参加すべき保健事業や参加が望ましい保健事業などの種々の参加レベルが含まれており、その旨が提示されてもよい。
【００２２】
《情報処理システム》
以下、図２Ａ〜図３Ｇを参照して、情報処理装置としての保健事業管理支援サーバ２１０を含む情報処理システム２００の構成および動作を説明する。なお、図３Ａ〜図３Ｇのシーケンスやフローチャートは、情報処理システム２００におけるデータの流れや処理手順を示しており、オンラインの処理とオフラインの処理とを含んでいる。
【００２３】
（システム構成）
図２Ａは、本実施形態に係る情報処理装置としての保健事業管理支援サーバ２１０を含む情報処理システム２００の構成を示す図である。
【００２４】
情報処理システム２００は、情報処理装置としての保健事業管理支援サーバ２１０と、複数の保険者２２１〜２２ｍを含む保険者２２０と、複数の健康づくり業者２３１〜２３ｎを含む健康づくり業者２３０と、を備える。また、情報処理システム２００は、オペレータの通信端末２４１と加入者の通信端末２４２とを含む保健事業管理支援サーバ２１０の支援を受ける通信端末２４０と、を備える。
【００２５】
保健事業管理支援サーバ２１０は、各保険者２２１〜２２ｍから提出された加入者に係わる健康情報（個人の属性情報、健診情報などの健康状態関連情報およびレセプト情報などの健康管理関連情報を含む）を機密に格納する保険者データベース２１１を含む。また、保健事業管理支援サーバ２１０は、各健康づくり業者２３１〜２３ｎから提案された保健事業を格納する保健事業データベース２１２を含む。なお、保健事業は、保険者２２０から提案されて保健事業データベース２１２に格納される場合もある。保健事業管理支援サーバ２１０は、保険者データベース２１１に格納された健康情報を参照して保健事業を必要とする加入者である対象者を選定する処理と、保健事業データベース２１２に格納された保健事業を選定して保険者や対象者に推奨する処理とのマッチングを図る。そして、保健事業の実施履歴、保健事業への加入者の参加履歴、保健事業に参加した加入者のリスクレベルの変化、などを収集して、保健事業の評価を行って、健康づくり業者２３１〜２３ｎにおける保健事業計画作成の改善を図る。また、保健事業の選定方法の評価、保健事業を必要とする加入者である対象者の選定方法の評価を行って、より適切な保健事業の実施を行い加入者の健康維持による生産性の向上を図る。すなわち、保健事業を必要とする加入者の選定条件として、保険事業への参加履歴を指定する参加履歴指定が行われる。
【００２６】
通信端末２４１、２４２は、保健事業管理アプリケーションを実行して、保健事業管理支援サーバ２１０と接続し、保健事業管理支援サーバ２１０による健康情報の履歴、保健事業を必要とする加入者である対象者の選定、推奨する保健事業の選定、などの支援を受ける。
【００２７】
（動作概要）
図２Ｂは、本実施形態に係る情報処理装置としての保健事業管理支援サーバ２１０を含む情報処理システム２００の動作概要を示す図である。なお、図２Ｂの動作概要には、通信端末２４１、２４２の表示画面が示されているが、これらは連続する画面遷移を示してなく、本実施形態に特徴的な場面が選択されて示されている。
【００２８】
図２Ｂには、通信端末２４１から設定された選定条件に基づいて、保健事業管理支援サーバ２１０において保険者の加入者から保健事業が必要となる対象者を選定して、選定された対象者に適切な保健事業が推奨される動作概要が示されている。また、図２Ｂには、推奨するために選定された保健事業に対して、選定された保健事業が必要となる対象者を選定してその保健事業を推奨する動作概要も示されている。
【００２９】
表示画面２５１は、保健事業管理アプリケーションのログオン画面である。表示画面２５２では、保健事業が必要となる対象者を選定するために選定条件が設定される。表示画面２５３では、選定条件に基づいて保健事業が必要となる対象者として選定された加入者と、選定された加入者に適切な「おすすめ保健事業」が選定されて紹介される。表示画面群２５４では、実施予定の保健事業が各加入者のファクシミリ通知２５０や加入者の通信端末２４２に通知される。また、保健事業業者（健康づくり業者）２３０の端末には、提案した保健事業の評価結果が通知される。なお、保健事業の提案が通信端末２４１や２４２からされた場合には、保健事業の評価結果が通信端末２４１や２４２に通知される。
【００３０】
一方、表示画面２５５では、「おすすめ保健事業」が表示されてオペレータにより選定される。表示画面２５６では、選定された保健事業を必要とする加入者が参加者候補として表示される。そして、表示画面群２５４に繋がる。
【００３１】
（データベース）
図２Ｃは、本実施形態に係る情報処理装置としての保健事業管理支援サーバ２１０が有するデータベースの構成を示す図である。
【００３２】
図２Ｃの上図は、保健事業管理支援サーバ２１０が有する保険者データベース２１１の構成である。保険者データベース２１１を用いて、通信端末２４１から設定された選定条件に基づいて、保健事業管理支援サーバ２１０において保険者への加入者から保健事業が必要となる対象者が選定される。保険者データベース２１１は、各保険者Ａ〜Ｎのそれぞれに、保険者とその選定条件を識別するための組合条件ＩＤ２６１に対応付けて、対象者選定条件２６２と、選定された対象者人数２６３と、を記憶する。対象者選定条件２６２には、保健事業を必要とする加入者のリスク条件であるリスク状況、健康管理状況に含まれる加入者が受けている治療状況や加入者による保健事業への参加状況、保健事業の必要レベル、などが含まれる。対象者選定条件２６２はかかる記載の条件に限定されるものではない。例えば、後述の意識レベルなどを含んでもよい。
【００３３】
図２Ｃの下図は、保健事業管理支援サーバ２１０が有する保健事業データベース２１２の構成である。保健事業データベース２１２を用いて、健康づくり業者２３０または保険者２２０から提案された保健事業と、各保険者の保健事業が必要となる対象者とが対応付けられる。保健事業データベース２１２は、健康づくり業者２３０から提案された保健事業を識別するための保健事業ＩＤ２７１に対応付けて、健康づくり業者（または保険者）ＩＤ２７２と、保健事業関連情報２７３と、保健事業参加条件２７４と、を記憶する。保健事業関連情報２７３は、保健事業への参加人数（定員）、実施期間や実施間隔など、保健事業を実施する経費、保健事業の詳細内容、などを含む。また、保健事業参加条件２７４は、この保健事業に参加する必要があると判断される加入者の条件を記憶する。なお、保健事業参加条件２７４は対象者選定条件２６２に対応するのが望ましいが、互いの関連が付けは異なってもよい。
【００３４】
（選定テーブル）
図２Ｄは、本実施形態に係る情報処理装置としての保健事業管理支援サーバ２１０における選定テーブルの構成を示す図である。
【００３５】
図２Ｄの上図は、各保険者で選定条件に基づいて選定された加入者に対して、参加を推奨する保健事業を選定し、実施させるための保健事業選定テーブル２８０である。保健事業選定テーブル２８０は、図２Ｃに示した保険者条件ＩＤ２８１、および対象者選定条件２６２に基づき選定された対象者数２８２に対応付けて、この対象者数２８２の加入者に推奨する保健事業２８３と、選択して実施された保健事業の実施結果２８４と、を記憶する。推奨する保健事業２８３は、保健事業ＩＤ、その優先度などを含む。なお、実施結果２８４には、複数の保健事業が実施された場合にはそれぞれの実施結果が記憶される。さらに、実施結果２８４には、各保健事業参加者の経過を含む実施履歴が記憶されてもよい。
【００３６】
図２Ｄの中図は、提案されたあるいは推奨される保健事業に参加することが望まれる、保険者とその加入者を選定するための対象者選定テーブル２８５である。対象者選定テーブル２８５は、図２Ｃに示した保健事業ＩＤ２８６に対応付けて、好適に適用される参加保険者２８７と、その保健事業の実施結果２８８と、を記憶する。参加保険者２８７としては、保険者ＩＤと保健事業参加条件２７４に基づいて選定された対象者とを含む。
【００３７】
図２Ｄの下図は、各保健事業の実施評価をして改善を提案するための保健事業評価テーブル２９０である。保健事業評価テーブル２９０は、保健事業ＩＤ２９１に対応付けて、実施履歴２９２と、各実施評価２９３と、トータル評価２９４と、改善提案２９５と、を記憶する。
【００３８】
（動作シーケンス）
図３Ａは、本実施形態に係る情報処理装置としての保健事業管理支援サーバ２１０を含む情報処理システム２００における、医療情報収集の動作手順を示すシーケンス図である。
【００３９】
保健事業管理支援サーバ２１０は、ステップＳ３０１において、通信端末２４１、２４２にそれぞれの保健事業管理アプリケーションを提供する。そして、通信端末２４１、２４２は、ステップＳ３０２において、保健事業管理支援サーバ２１０と協働して保健事業管理アプリケーションを起動する。
【００４０】
保険者２２０は、ステップＳ３０３において、登録されている個人（加入者）の属性情報と、取得した健診情報を含む健康状態関連情報とを、保健事業管理支援サーバ２１０に提出する。保健事業管理支援サーバ２１０は、ステップＳ３０４において、保険者２２０により提出された個人の属性情報、健康状態関連情報を、データベースに格納保持する。
【００４１】
保険者２２０は、ステップＳ３０５において、レセプト情報などを含む健康管理関連情報を、保健事業管理支援サーバ２１０に提出する。保健事業管理支援サーバ２１０は、保険者２２０により提出された健康管理関連情報を、データベースに格納保持する。なお、ストレスチェックやアンケート情報などから抽出された、健康状態関連情報または健康管理関連情報は、ステップＳ３０７において、随時に通信端末２４１、２４２から保健事業管理支援サーバ２１０に送信されてもよい。
【００４２】
図３Ｂは、本実施形態に係る情報処理装置としての保健事業管理支援サーバ２１０を含む情報処理システム２００における、選定された加入者である対象者に対応付けた保健事業選定の動作手順を示すシーケンス図である。図３Ｂには、オペレータの通信端末２４１から保健事業が必要な加入者を選定する条件を設定すると、保健事業が必要な加入者である対象者に、健康づくり業者２３０から提案された適切な保健事業が選定されて、加入者の通信端末２４２に保健事業の情報を報知して参加を促す。そして、保健事業の成果あるいは効果を以降の加入者検索や保健事業選択に反映させる動作手順が示されている。
【００４３】
通信端末２４１は、ステップＳ３１１において、保健事業が必要な加入者を選定するための基準となる判定条件、例えばリスクレベルの閾値などを入力する。保健事業管理支援サーバ２１０は、ステップＳ３１２において、受信した判定条件を設定する。健康づくり業者２３０は、ステップＳ３１３において、生成した保健事業計画を提案する。保健事業管理支援サーバ２１０は、ステップＳ３１４において、保健事業計画として、保健事業関連情報とその保健事業を選定する保健事業選定条件を設定する。
【００４４】
通信端末２４１は、ステップＳ３１５において、保健事業を必要とする加入者を選定するためのリスク種類や受診内容などの対象者選定条件を入力する。保健事業管理支援サーバ２１０は、ステップＳ３１６において、種々の対象者選定条件に従って、保健事業を必要とする対象者とそのグループを選定する。そして、保健事業管理支援サーバ２１０は、ステップＳ３１７において、選定した対象者グループに対する適切な保健事業を選択する。
【００４５】
通信端末２４１は、ステップＳ３１８において、選定した対象者グループに対するメールの一斉送信を保健事業管理支援サーバ２１０に指示する。保健事業管理支援サーバ２１０は、ステップＳ３１９において、保健事業や対象者に基づいて費用対効果を予測して、利益率の高い順に保健事業への勧奨あるいは勧誘する情報を一斉メールで通信端末２４２に提示する。通信端末２４２は、ステップＳ３２０において、メールで受信した保健事業の勧奨/勧誘の情報を表示する。なお、電子メールには、保健事業の写真や動画が含まれてもよい。また、本実施形態においては、電子メールによる一斉送信を示すが、ファクシミリ送信や電話通知などであってもよい。
【００４６】
通信端末２４１、２４２は、ステップＳ３２１において、例えば毎月周期であるいは不定期で、保健事業の実施履歴と加入者の参加履歴を入力する。保健事業管理支援サーバ２１０は、ステップＳ３２２において、保健事業の実施履歴と加入者の参加履歴とを蓄積する。
【００４７】
また、保健事業管理支援サーバ２１０は、所定周期で、ステップＳ３２３において、保健事業の実施履歴や加入者の参加履歴、加入者のリスクレベルの変化に基づいて、保健事業の成果を評価する。そして、保健事業管理支援サーバ２１０は、ステップＳ３２４において、保健事業による評価結果を、保健事業の選定やリスクレベルの導出などに反映させる。
【００４８】
図３Ｃは、本実施形態に係る情報処理装置としての保健事業管理支援サーバ２１０を含む情報処理システム２００における、選定された加入者である対象者に対応付けた保健事業選定の処理手順を示すフローチャートである。
【００４９】
情報処理システム２００は、ステップＳ３３０において、保険者へ加入者を登録する。情報処理システム２００は、ステップＳ３３１において、保健事業管理支援のためのデータを収集する。ステップＳ３３１の保健事業管理支援のためのデータ収集において、情報処理システム２００は、図３ＡのステップＳ３０４に相当する処理を行う。すなわち、加入者個人の属性情報あるいは既往歴などを含む情報の取得、加入者の健康診断結果などからの健診情報を含む健康状態関連情報の取得、病院や診療施設から加入者のレセプト情報を含む健康管理関連情報の取得を行う。そして、情報処理システム２００は、図３ＡのステップＳ３０６に相当する処理により、その他の健康関連情報、例えば保健事業への参加履歴などの取得を行う。
【００５０】
情報処理システム２００は、ステップＳ３３２において、ステップＳ３３２で収集された健康状態関連情報から、加入者の各チェック対象リスクにおけるリスクレベルを導出する。また、情報処理システム２００は、ステップＳ３３３において、ステップＳ３３２で収集された健康管理関連情報から、加入者の受診状況を含む健康管理状況を評価する。そして、情報処理システム２００は、ステップＳ３３４において、加入者のリスクレベルと健康管理状況とに基づいて、保健事業が必要な加入者である対象者の選定をする。情報処理システム２００は、ステップＳ３３５において、選定された加入者である対象者に対する適切な保健事業を選択する、あるいは、自ら適切な保健事業を計画する。そして、情報処理システム２００は、ステップＳ３３６において、保健事業の参加を推奨あるいは勧誘する情報の加入者への提示、例えばメールやファクシミリなどによる提示を行う。情報処理システム２００は、ステップＳ３３７において、加入者の保健事業への参加履歴、保健事業の実施履歴、リスクレベルの変化を分析して、保健事業の成果の評価を行い、以降の保健事業が必要な加入者（対象者）への保健事業の提示に反映させる。
【００５１】
図３Ｄは、本実施形態に係る情報処理装置としての保健事業管理支援サーバ２１０を含む情報処理システム２００における、保健事業の提供が必要な加入者選定の詳細な動作手順を示すシーケンス図である。図３Ｄには、オペレータの通信端末２４１からの問い合わせあるいは選定指示に応答して、保健事業管理支援サーバ２１０がレセプト情報を含む健康管理関連情報や健診情報を含む健康状態関連情報に基づいて、保健事業への参加が必要とされる対象者を報知する動作手順が示されている。なお、図３Ｄにおいて、ステップＳ３４１〜Ｓ３４８は図３ＢのＳ３１５〜Ｓ３１７に相当し、ステップＳ３５１〜Ｓ３５３は図３ＢのＳ３１８〜Ｓ３２０に相当する。
【００５２】
通信端末２４１は、ステップＳ３４１において、保健事業管理支援サーバ２１０に対して、保健事業の提供が現在必要とされる全対象者の選定を要求する。健保管理支援のサーバ２１０は、選定要求を受けて、ステップＳ３４２において、既存の厚労省の指針（法定階層化）および図７Ｂ、図７Ｃで後述する本実施形態の階層化に基づいて、保健事業の提供が必要とされる全対象者の情報、例えば、全対象者数やその情報一覧、を生成する。そして、通信端末２４０は、ステップＳ３４３において、保健事業管理支援サーバ２１０から取得した保健事業の提供が必要とされる全対象者の情報を表示や情報一覧として出力する。出力には、表示と印刷が含まれるが、さらに、送信や記憶媒体への出力が含まれてもよい。なお、通信端末２４１においては、図４Ａの表示画面４４２のような全対象者の内訳における選択指示によって、その対象者一覧を表示し、さらに、対象者一覧から特定の対象者を選択指示することによって、選択された対象者の詳細情報を出力する構成とするのが望ましい。また、保健事業管理支援サーバ２１０は、ステップＳ３４４において、データベースに格納された保健事業の提供が必要とされる全対象者、さらに対象リスクにフラグを設定して選定結果を保持してもよい。
【００５３】
保健事業管理支援サーバ２１０は、ステップＳ３４５において、対象者選定条件を生成して通信端末２４１に送信し、通信端末２４１は、ステップＳ３４６において、受信した対象者選定条件を含む、図４Ａの表示画面４４３のような設定画面を表示する。本実施形態においては、対象者選定条件として、例えばリスク条件と受診条件とを含んでいる。
【００５４】
通信端末２４１は、ステップＳ３４７において、保健事業の提供が必要とされる対象者を絞り込むための対象者選定条件を設定して、保健事業管理支援サーバ２１０に対して、設定した対象者選定条件による保健事業の提供が必要とされる対象者の選定を要求する。保健事業管理支援サーバ２１０は、対象者選定要求を受けて、ステップＳ３４８において、対象者選定条件により絞り込んだ保健事業の提供が必要とされる対象者の情報、例えば、対象者数やその情報一覧、を生成する。なお、保健事業の提供が必要とされる対象者の情報の生成は、既存の厚労省の指針（法定階層化）および図７Ｂ、図７Ｃで後述する本実施形態の階層化に基づいて実行される。そして、通信端末２４１は、ステップＳ３４９において、保健事業管理支援サーバ２１０から取得した保健事業の提供が必要とされる対象者の情報を表示や情報一覧として出力する。出力には、表示と印刷が含まれるが、さらに、送信や記憶媒体への出力が含まれてもよい。なお、通信端末２４１においては、図４Ａの表示画面４４２のような対象者一覧を表示し、さらに、対象者一覧から特定の対象者を選択指示することによって、選択された対象者の詳細情報を出力する構成とするのが望ましい。また、保健事業管理支援サーバ２１０は、ステップＳ３５１において、データベースに格納された保健事業の提供が必要とされる対象者、さらに対象リスクにフラグを設定して選定結果を保持してもよい。
【００５５】
通信端末２４１は、ステップＳ３５２において、保健事業管理支援サーバ２１０に対して、選定された保健事業の提供が必要とされる対象者に対する保健事業を推奨するまたは勧誘する内容を含む電子メールの一斉送信による通知指示を行う。保健事業管理支援サーバ２１０は、通知指示を受けて、ステップＳ３５３において、対象者の送信先へ電子メールの一斉送信を実行する。なお、電子メールには、保健事業の写真や動画が含まれてもよい。また、本実施形態においては、電子メールによる一斉送信を示すが、ファクシミリ送信や電話通知、あるいは書面発送などであってもよい。
【００５６】
図３Ｅは、本実施形態に係る情報処理装置としての保健事業管理支援サーバ２１０を含む情報処理システム２００における、選定された保健事業に対応付けた対象者選定の動作手順を示すシーケンス図である。なお、図３Ｅにおいて、図３Ｂと同様のステップには同じステップ番号を付して、重複する説明を省略する。
【００５７】
オペレータの通信端末２４１は、ステップＳ３６１において、保健事業管理支援サーバ２１０の保健事業データベース２１２に蓄積された保健事業計画の案内を受けて、推奨する保健事業を選定する。また、保健事業管理支援サーバ２１０は、ステップＳ３６２において、保健事業データベース２１２に蓄積された保健事業計画から推奨する保健事業を選定する。なお、保健事業の選定は、保健事業の目標や参加人数、費用などを考慮して選定される。保健事業管理支援サーバ２１０は、ステップＳ３６３において、選定された保健事業への参加を必要とする加入者である対象者やそのグループを選定して、通信端末２４１に通知する。なお、推奨する保健事業の選定を保健事業管理支援サーバ２１０が行った場合は、選定された保健事業も通知する。通信端末２４１は、ステップＳ３６４において、選定された保健事業と、対応してその保健事業を必要とする加入者である対象者やそのグループとを通知する。
【００５８】
図３Ｆは、本実施形態に係る情報処理装置としての保健事業管理支援サーバ２１０を含む情報処理システム２００における、選定された保健事業に対応付けた対象者選定の処理手順を示すフローチャートである。なお、図３Ｆにおいて、図３Ｃのステップと同様のステップには同じステップ番号を付して、重複する説明を省略する。
【００５９】
情報処理システム２００は、ステップＳ３７１において、蓄積された保健事業計画から保険者および加入者に推奨する保健事業を選定する。そして、情報処理システム２００は、ステップＳ３７２において、選定された保健事業への参加を必要とする加入者である対象者とそのグループを選定する。
【００６０】
図３Ｇは、本実施形態に係る情報処理装置としての保健事業管理支援サーバ２１０を含む情報処理システム２００における、保健事業に対応付けた対象者選定の詳細な動作手順を示すシーケンス図である。図３Ｇには、オペレータの通信端末２４１や保健事業管理支援サーバ２１０の推奨する保健事業の選定に応答して、保健事業管理支援サーバ２１０が、選定された保健事業への参加が必要とされる保健事業対象者を報知する動作手順が示されている。ここで、保健事業管理支援サーバ２１０による保健事業への参加が必要とされる保健事業対象の選定は、レセプト情報を含む健康管理関連情報や健診情報を含む健康状態関連情報に基づいて行われる。なお、図３Ｇにおいて、ステップＳ３８１〜Ｓ３８３、Ｓ３４８、Ｓ３４９は図３ＢのＳ３６１〜Ｓ３６４に相当する。また、図３Ｇにおいて、図３Ｄと同様のステップには同じステップ番号を付して、重複する説明を省略する。
【００６１】
通信端末２４１は、ステップＳ３８１において、保健事業データベース２１２に蓄積された保健事業計画から推奨する保健事業を選定する。また、保健事業管理支援サーバ２１０は、ステップＳ３８２において、保健事業データベース２１２に蓄積された保健事業計画から推奨する保健事業を選定する。そして、保健事業管理支援サーバ２１０は、ステップＳ３８３において、選定された保健事業への参加を必要とする加入者である対象者を選定するための対象者選定条件を生成する。なお、健康づくり業者２３０が対象者選定条件を設定する場合は、その対象者選定条件を取得する。
【００６２】
《保健事業管理支援サーバの動作概要》
図４Ａは、本実施形態に係る情報処理装置としての保健事業管理支援サーバによる保健事業の提供が必要な対象者選定の動作概要を示す図である。なお、図４Ａの動作概要には、４つの表示画面４４１〜４４４が示されているが、これらは連続する画面遷移を示してなく、本実施形態に特徴的な場面が選択されて示されている。
【００６３】
図４Ａは、通信端末２４１からの操作によって、保健事業管理支援サーバ２１０において保険者の加入者から保健事業が必要となる対象者を選定する動作概要を示している。表示画面４４１は、保健事業管理アプリケーションのログオン画面である。ログオンすると、表示画面４４２では、現在登録済みの加入者の健診情報や疾病情報などからデフォルトの条件に基づいて、健保事業が必要となる全対象者数が表示されている。なお、表示画面４４２において、健保事業が必要となる全対象者数の重複する内訳として、「特定保健指導対象者（動機付け）」および「特定保健指導対象者（積極的）」として導出された人数は、既存の厚労省の指針（法定階層化）に従って導出され得る数字である。一方、「その他の保健事業対象者」として導出された人数は、既存の厚労省の指針（法定階層化）では見落とされて、保健事業が必要であるにも関わらず導出されない人数である。かかる「その他の保健事業対象者」を導出する例については、以下に図７Ｂおよび図７Ｃで説明する。
【００６４】
表示画面４４３は、保健事業が必要となる全対象者数から、保健事業計画に則ってリスクとコストとを考慮して対象保健事業や対象人数を絞り込むための対象者選定条件を入力する画面である。表示画面４４３では、対象者選定条件式を入力する形式ではなく、大きく２つの条件、リスク条件と受診条件からオペレータが選択できる形式である。リスク条件としては、加入者が有するリスクの種類、あるいは、その組み合わせを選択する。さらに、受診条件では、加入者が有するリスクの種類に対応する受診を行っているか否かを選択する。表示画面４４３には、リスク条件と受診条件の一部を示したが、これらに限定されず種々のリスクと受診との組み合わせが可能であり、保健事業が必要となる対象保健事業や対象者数を絞り込むことが可能になる。
【００６５】
表示画面４４４は、表示画面４４３で入力されたリスク条件および受診条件に基づいて、保健事業管理支援サーバ２１０のデータベースから選定された対象者情報の一覧が表示されている。なお、図示はしないが、オペレータは、対象保健事業や選定された対象者数が適切であると判定すると、選定された対象者に対して対象保健事業の推奨あるいは勧誘するための通知を、例えば電子メールで一斉送信するように指示してもよい。一方、オペレータは、対象保健事業や選定された対象者数が適切でないと判定すると、リスク条件や受診条件を変更して適切な保健事業を探索する。
【００６６】
（リスクレベル）
図４Ｂは、本実施形態に係る健康管理状況も考慮して導出されるリスクレベルの概要を示す図である。すなわち、本実施形態においては、リスクレベルの導出は健診情報を含む健康状態関連情報から行われるが、図４Ｂに示すように、健康管理状況も考慮してリスクレベルを導出してもよい。この場合には、保健事業が必要とされる加入者である対象者の選定は、リスクレベルと健康管理状況とを考慮するのでなくリスクレベルの考慮で行われるが、実質的では同じである。図４Ｂには、血圧リスクのリスクレベルへの階層化の例を説明するが、他のリスク種類にはそのリスクに対応する適切な階層化が行われる。例えば、健診情報のない喫煙リスクなどのリスクレベルの階層化は、アンケート情報などを参照して行われる。なお、図４Ｂのリスクレベルへの階層化は一例であって、これに限定されず、保健事業における加入者の適切な分類が可能な種々の階層化が可能である。
【００６７】
図４Ｂの血圧リスクは、５階層のリスクレベルに階層化されている。高レベルから順に、高危険４４０→危険４５０→受診勧誘４６０→保健指導４７０→リスクなし４８０となる。また、高危険４４０や危険４５０のレベルでは、受診済みか未受診か、受診済みの場合に投薬が有るか無いかなどを、レセプト情報に基づいて分類する（４９０）。
【００６８】
簡単な保健事業が必要となる加入者の選定においては、リスクなし４８０以外は保健事業が必要な人数に加えられる。しかしながら、受診勧誘４６０や保健指導４７０などの危険レベルの予備軍に保健事業が必要な人数を絞っても、あるいは、高危険４４０および危険４５０の未受診を保健事業が必要な人数として絞ってもよい。どのように保健事業を実施するかは、リスクを抑えつつ、コストも抑えられるように計画されるのが望ましい。
【００６９】
図４Ｂ中の「未受診」や「受診済み・投薬なし」などは健康管理状況を表し、「リスク継続」などはリスクレベルを表している。そして、各囲み内の数字（対象となる加入者数）の対象者のそれぞれに対して保健事業が設定、マッチングされることになる。なお、レセプトデータからは健康管理状況・治療状況のほかに、疾病の重症度を推測できる情報も含まれており、この情報をリスクレベルの評価に使うこともできる。
【００７０】
《クラウドサーバの機能構成》
図５Ａは、本実施形態に係るクラウドサーバ５１０の機能構成を示すブロック図である。
【００７１】
クラウドサーバ５１０は、通信制御部５０１と、保健事業取得部５０２と、データベース５０３と、情報入力部５４０と、クラウドサーバ５１０内に生成された本実施形態の情報処理装置としての仮想の保健事業管理支援サーバ２１０−１〜２１０−ｎと、を備える。通信制御部５０１は、オペレータの通信端末２４１，加入者の通信端末２４２および健康づくり業者２３０の端末との通信を制御する。保健事業取得部５０２は、情報入力部５４０から入力された、あるいは、通信制御部５０１で健康づくり業者２３０の端末から受信された保健事業を取得する。保健事業取得部５０２で取得された保健事業は、データベース内の保健事業保持領域５３０に保持される。
【００７２】
クラウドサーバ５１０内に生成された仮想の保健事業管理支援サーバ２１０−１〜２１０−ｎには、情報入力部５４０から加入者情報、健診情報およびレセプト情報が入力される。また、仮想の保健事業管理支援サーバ２１０−１〜２１０−ｎには、通信制御部５０１が通信端末２４１，２４２から受信したアンケート情報などの健康関連情報が入力される。仮想の保健事業管理支援サーバ２１０−１〜２１０−ｎは、取得した情報をそれぞれ機密に分離されたデータベース５０３のサーバ用領域５０３−１〜５０３−ｎに格納する。そして、取得した情報に基づいて、保健事業の提供が必要と選定された加入者と、健康づくり業者から提供されて選定された保健事業とを対応付けて、通信端末２４２に対して保健事業の勧誘情報を送信する。なお、ファクシミリ送信などであってもよい。
【００７３】
《仮想の保健事業管理支援サーバの機能構成》
図５Ｂは、本実施形態に係るクラウドサーバ内に生成された情報処理装置としての仮想の保健事業管理支援サーバ２１０の機能構成を示すブロック図である。以下、仮想の保健事業管理支援サーバ２１０の機能構成としては、本実施形態の特徴である、健康管理状況を考慮した保健事業が必要とされる対象者の絞り込みをする構成を中心に説明する。なお、図５Ｂにおいては、情報処理装置として１つの仮想の保健事業管理支援サーバ２１０の構成について説明する。図５Ｂでは、本実施形態の処理と関連が少ない機能構成部は省略している。また、図５Ｂにおいて、図５Ａと同様の機能構成部については同じ参照番号を付して、重複する説明は省略する。
【００７４】
仮想の保健事業管理支援サーバ２１０はデータベース５０３を備える。データベース５０３は、図５Ａの各サーバ用領域として取得データベース５３１と処理データベース５３２とを有する。取得データベース５３１には、個人の属性情報とレセプト情報と健診情報と他の健康状態関連情報とが含まれる。個人の属性情報は、加入者を識別する情報および加入者に関連する情報であり、加入者の性、年齢、社会環境である所属場所情報や加入者の所属場所での環境情報なども含まれる。レセプト情報は、加入者の治療に関する情報である。健診情報は加入者の健康診断結果に関する情報である。他の健康状態関連情報は、加入者の健康に関連する情報であり、例えば、加入者の病歴や治療歴、アンケート情報などが含まれる。なお、他の健康状態関連情報には、可能であれば加入者のカルテ情報などが含まれてもよい。処理データベース５３２には、リスクレベル導出部５４５が導出したリスクレベルと、治療内容抽出部５４６が抽出した治療内容と、意識レベル導出部５４７が導出した意識レベルと、が各加入者に対応付けられて格納される。
【００７５】
また、仮想の保健事業管理支援サーバ２１０は、個人の属性情報取得部５４１と、レセプト情報取得部５４２と、健診情報取得部５４３と、情報格納処理部５４４と、オプショナルな健康状態関連情報取得部５５２と、を備える。個人の属性情報取得部５４１と、レセプト情報取得部５４２と、健診情報取得部５４３とは、クラウドサーバ５１０の情報入力部５４０から各情報を取得する。なお、情報入力部５４０は、オフライン入力、オンライン入力あるいは記憶媒体による入力であってよい。個人の属性情報取得部５４１は、登録あるいは入力された加入者を識別する情報や加入者に関連する情報を取得する。レセプト情報取得部５４２は、レセプト情報を取得する。健診情報取得部５４３は、健診情報を取得する。健康状態関連情報取得部５５２は、通信端末２４０から入力された健診情報以外の健康状態関連情報、例えばアンケート情報などを取得する。情報格納処理部５４４は、個人の属性情報取得部５４１、レセプト情報取得部５４２、健診情報取得部５４３および健康状態関連情報取得部５５２が取得した情報を加入者により名寄せして、取得データベース５３１としてデータベース５０３に格納する。
【００７６】
また、仮想の保健事業管理支援サーバ２１０は、リスクレベル導出部５４５と、治療内容抽出部５４６と、意識レベル導出部５４７と、を備える。さらに、仮想の保健事業管理支援サーバ２１０は、保健事業対象者選定部５４８と、対象者選定条件取得部５５０と、保健事業対象者通知部５５１と、を備える。
【００７７】
リスクレベル導出部５４５は、名寄せされた健診情報から各加入者の各リスクについてのリスクレベルを導出する。リスクレベル導出部５４５におけるリスクレベルの導出には、既存の厚労省の指針（法定階層化）に加えて、図４Ｂで前述した本実施形態の階層化が行われてもよい。治療内容抽出部５４６は、名寄せされたレセプト情報から各加入者の治療内容を抽出する。意識レベル導出部５４７は、名寄せされたレセプト情報から治療履歴を参照して各加入者の健康に対する意識レベルを導出する。
【００７８】
保健事業対象者選定部５４８は、保健事業対象者選定テーブル５４９を有し、リスクレベルと、治療状況である治療内容や意識レベルとに基づいて、保健事業の提供が必要とされる加入者である対象者を選定する。なお、保健事業対象者選定部５４８は、対象者選定条件取得部５５０が取得した対象者選定条件が有る場合は、取得した対象者選定条件に従って対象者を選定する。一方、保健事業対象者選定部５４８は、対象者選定条件取得部５５０が取得した選定条件が無い場合は、デフォルトの条件に従って対象者を選定する。対象者選定条件取得部５５０は、通信端末２４１に対象者選定条件の設定画面を送って、オペレータが選択した対象者選定条件を取得する。保健事業対象者通知部５５１は、保健事業対象者選定部５４８による選定結果である保健事業の提供が必要とされる対象者の情報、例えば、対象者数や対象者一覧などを、通信端末２４１に通知する。
【００７９】
なお、図５Ｂには、保健事業の提供が必要とされる対象者への電子メールの一斉送信に係る構成は図示されていない。しかし、オペレータの通信端末２４１からの要求に従って、データベース５０３にあらかじめ保持された電子メールの内容に対応するテンプレートに加入者に関する情報や保健事業の情報を挿入して、加入者の通信端末２４２に送信を行えば一斉送信できる。
【００８０】
（取得データベース）
図６は、本実施形態に係る取得データベース５３１の構成を示す図である。取得データベース５３１は、健保管理に用いるために保健事業管理支援サーバ２１０が収集した取得データを格納する。取得データベース５３１は、情報入力部５４０から取得した個人の属性情報を含む加入者情報６１０と、レセプト情報を含む健康管理関連情報６２０と、健診情報あるいは通信端末２４１から取得したアンケート情報などを含む健康状態関連情報６３０とを、加入者で名寄せして格納する。
【００８１】
加入者情報６１０としては、加入者ＩＤ６１１に対応付けて、氏名６１２と、住所６１３と、電話番号やメールアドレスなどの連絡先６１４と、属性情報６１５と、病歴６１６と、労働条件なども含む生活環境６１７と、を記憶する。なお、属性情報６１５には、生年月日、性別、年齢、加入者との続柄、健保への参加位置を示す加入者区分、などを含む。なお、加入者情報６１０には、病気の治療歴も含まれる。
【００８２】
健康管理関連情報６２０としては、レセプトＩＤ６２１に対応付けて、レセプト情報取得部５４２が取得した、受診した医療機関６２２と、受診日時６２３と、受診内容６２４と、報酬点で表した費用６２５と、加入者ＩＤ６２６と、を記憶する。なお、受診内容６２４には、病名や治療内容などを含む。
【００８３】
健康状態関連情報６３０としては、加入者ＩＤ６３１に対応付けて、健診情報取得部５４３が取得した健診情報６３２と、通信端末２４１から取得したアンケート情報６３３と、を記憶する。
【００８４】
なお、図６では加入者情報６１０と健康管理関連情報６２０と健康状態関連情報６３０とを分けて示したが、加入者ＩＤに対応して１つのテーブルとして格納してもよい。
【００８５】
（処理データベース）
図７Ａは、本実施形態に係る処理データベース５３２の構成を示す図である。処理データベース５３２は、保健事業管理支援サーバ２１０が保健事業の管理のため取得データベース５３１に格納されたデータを処理して生成した処理データを格納する。
【００８６】
処理データベース５３２は、加入者ＩＤ７１１に対応付けて、加入者情報である個人の属性情報７１２と、健診情報やアンケート情報などの健康状態関連情報から導出されたリスクレベル情報７１３と、を記憶する。また、処理データベース５３２は、加入者ＩＤ７１１に対応付けて、レセプト情報などの健康管理関連情報から抽出された治療状況を含む健康管理状況７１４および費用情報７１５と、を記憶する。そして、処理データベース５３２は、リスクレベル情報７１３、健康管理状況７１４、費用情報７１５などを参照して保健事業管理支援サーバ２１０が選定した結果である、保健事業が必要か不必要かのフラグ７１６を記憶する。
【００８７】
リスクレベル情報７１３は、各リスクについての情報、例えば、肥満リスクレベル７３１、ＢＭＩ(Body Mass Index)レベルの状況７３２、喫煙レベル７３３、血圧リスクレベルの状況７３４、などを記憶する。各リスクには、測定値がある場合の測定値、リスクの有無、リスクレベル、状況（例えば、リスク上昇、下降、維持など）などを含む。
【００８８】
治療状況を含む健康管理状況７１４は、対象リスク７４１にそれぞれ対応付けて、レセプト情報からの実際の治療情報である治療内容７４２と、レセプト情報やアンケート情報などから導出された加入者の健康への配慮の度合いを示す意識レベル７４３と、を含む。治療内容７４２は、治療日時、処方箋を含む治療内容、治療結果などを含む。意識レベル７４３は、各リスクに対する意識レベルと、健康全体に対するトータル意識レベルと、を含む。
【００８９】
（保健事業必要加入者）
図７Ｂは、本実施形態に係る保健事業が必要な加入者である対象者を求める一例を示す図である。図７Ｂは、本実施形態において、保健事業が必要となる加入者を肥満リスクおよび喫煙リスクと、疾患系のリスクレベルとの組み合わせから、既存の厚労省の指針（法定階層化）では見落とされている保健事業が必要となる加入者を選定する方法を示している。なお、図７Ｂでは、疾患系リスクの保護指導レベル以上を考慮して保健事業が必要となる加入者を対象者として選定している。
【００９０】
図７Ｂにおいて、左下の「介入候補計」が、既存の厚労省の指針（法定階層化）に従って導出された保健事業が必要となる対象者数である。
【００９１】
これに対して、「服薬有り」のために対象外となった５４０名（７５２）と、「肥満リスク無し」のために対象外となった１８６８名（７５１）との合計２４０８名（７５３）が、疾病リスクがあっても保健事業が必要となる対象者から除外された人数となる。
【００９２】
図７Ｂの選定によって、既存の厚労省の指針（法定階層化）に従った導出では保健事業が必要となる対象者から除外された加入者を、保健事業が必要となる対象者に加えることにより、保健事業における対象者の見逃しを減らして効率化を図っている。
【００９３】
図７Ｃは、本実施形態に係る保健事業が必要な加入者である対象者を求める他例を示す図である。図７Ｃも、本実施形態において、保健事業が必要となる加入者を肥満リスクおよび喫煙リスクと、疾患系のリスクレベルとの組み合わせから、既存の厚労省の指針（法定階層化）では見落とされている保健事業が必要となる対象者を選定する方法を示している。なお、図７Ｃでは、疾患系リスクの受診勧奨レベル以上を考慮して保健事業が必要となる加入者を対象者として選定している。
【００９４】
図７Ｃにおいて、左下の「小計」が、既存の厚労省の指針（法定階層化）に従って導出された保健事業が必要となる対象者数である。
【００９５】
これに対して、受診勧奨レベル以上の疾患系リスクが１つでもある１３７５名（７６１）の内の、服薬者数３０８名（７６２）が、服薬中でも他の受診勧奨リスクがあるにも関わらず保健事業が必要となる対象者から除外された人数となる。
【００９６】
図７Ｃの選定によって、既存の厚労省の指針（法定階層化）に従った導出では保健事業が必要となる対象者から除外された加入者を、保健事業が必要となる対象者とすることにより、保健事業における対象者の見逃しを減らして効率化を図っている。
【００９７】
（意識レベル導出テーブル）
図７Ｄは、本実施形態に係る加入者の意識レベルを導出する意識レベル導出テーブル７８０の構成を示す図である。意識レベル導出テーブル７８０は、各リスクについて、リスクレベルや健康管理状況としての治療状況／対処状況を考慮して、加入者のリスクを軽減したい意識の度合いを導出するために、意識レベル導出部５４７で使用される。なお、意識レベル導出テーブル７８０は一例であって、これに限定されない。保健事業管理支援サーバ２１０が収集可能な情報を用いて、加入者のリスクを軽減したい意識の度合いを導出する種々の情報とその組み合わせが可能である。
【００９８】
意識レベル導出テーブル７８０は、対象リスク７８１のそれぞれに対して、リスクレベル７８２と健康管理状況としての治療状況／対処状況７８３との組み合わせを記憶する。そして、リスクレベル７８２と健康管理状況としての治療状況／対処状況７８３との組み合わせに対応付けて、意識レベル７８４を記憶する。
【００９９】
（保健事業対象者選定テーブル）
図８は、本実施形態に係る保健事業対象者選定テーブル５４９の構成を示す図である。保健事業対象者選定テーブル５４９は、保健事業対象者選定部５４８がデフォルトの条件、または、通信端末２４１から設定された対象者選定条件に基づいて、保健事業が必要となる加入者である対象者を選定するために用いられる。
【０１００】
保健事業対象者選定テーブル５４９は、対象者選定条件８０１に対応付けて選定結果８０２を記憶する。対象者選定条件としては、リスクレベルに関連するリスク種類やリスクレベル閾値、健康管理状況に関連する既受診／未受診や意識レベルなどが含まれる。そして、選定結果８０２としては、各リスク種類における保健事業が必要となる加入者である対象者を示す選定結果と、各選定結果をどのように結合するかの結合論理式と、設定されたリスク種類における保健事業が必要となる加入者である対象者を示すトータル結果８２１と、を記憶する。なお、結合論理式としては、全ての対象者を重複なく加えたり、複数のリスクを有する対象者を選別したり、リスク種類によって優先順位を付けたりすることができる。
【０１０１】
なお、本実施形態においては、選定結果として、保健事業が必要となる対象者数や対象者を示すトータル結果８２１が、保健事業管理支援サーバ２１０から通信端末２４１に通知される。全リスク種類のリスク有りの対象者が、図４Ａの表示画面４４２に示した全対象者数となる。
【０１０２】
《保健事業管理支援サーバのハードウェア構成》
図９は、本実施形態に係る情報処理装置としての保健事業管理支援サーバ２１０のハードウェア構成を示すブロック図である。
【０１０３】
図９で、ＣＰＵ(Central Processing Unit)９１０は演算制御用のプロセッサであり、プログラムを実行することで図５の機能構成部を実現する。ＣＰＵ９１０は１つであっても複数であってもよい。ＲＯＭ(Read Only Memory)９２０は、初期データおよびプログラムなどの固定データおよびプログラムを記憶する。ネットワークインタフェース９３０は、ネットワークを介して、通信端末２４１，２４２との通信を制御する。なお、ＣＰＵ９１０とＲＯＭ９２０とネットワークインタフェース９３０は、クラウドサーバ５１０が備える共有機能構成部であり太枠で示している。以下に示す他の機能構成部は、各仮想の保健事業管理支援サーバ２１０−１〜２１０−ｎの１つを示している。
【０１０４】
ＲＡＭ(Random Access Memory)９４０は、ＣＰＵ９１０が一時記憶のワークエリアとして使用するランダムアクセスメモリである。ＲＡＭ９４０には、本実施形態の実現に必要なデータを記憶する領域が確保されている。個人の属性情報９４１は、情報入力部５４０から取得された加入者の属性情報である。健康状態関連情報としての健診情報９４２は、情報入力部５４０から取得した健診情報である。健康管理関連情報としてのレセプト情報９４３は、情報入力部５４０から取得されたレセプトの情報である。他の健康状態関連情報９４６は、通信端末２４１，２４２から取得されたアンケート情報などを含む情報である。データベース格納情報９４４は、データベース５０３の取得データベース５３１に格納される情報である。対象者選定情報９４５は、取得データベース５３１から加入者で名寄せし、保健事業管理支援サーバ２１０で処理された結果のリスクレベル情報と健康管理状況とを含み、データベース５０３の処理データベース５３２に格納される情報である。保健事業対象者選定テーブル５４９は、図８に示した、対象者選定条件に従って保健事業が必要となる加入者を対象者として選定するために使用されるテーブルである。保健事業対象者（トータル結果）８２１は、保健事業対象者選定テーブル５４９を用いて選定された保健事業が必要となる対象者の情報である。保健事業通知情報９４７は、保健事業が必要となる対象者に通知して保健事業への勧奨をするための情報であり、本実施形態においては、例えば電子メールで通知される。送受信データ９４８は、ネットワークインタフェース９３０を介して、通信端末２４１，２４２などの外部装置と送受信されるデータである。
【０１０５】
ストレージ９５０は、ＣＰＵ９１０が使用する、データベースや各種のパラメータ、あるいは本実施形態の実現に必要な以下のデータまたはプログラムが記憶されている。データベース５０３は、取得データベース５３１と処理データベース５３２とを有する。取得データベース５３１は、図６に示したように、保健事業管理支援サーバ２１０が収集したデータを格納する。処理データベース５３２は、
図７Ａに示したように、取得データベース５３１から保健事業管理支援サーバ２１０が処理して生成したデータを格納する。
【０１０６】
ストレージ９５０には、以下のプログラムが格納される。保健事業管理支援サーバ制御プログラム９５１は、情報処理装置としての保健事業管理支援サーバ２１０の全体を制御するプログラムである。データベース生成モジュール９５３は、保健事業管理支援サーバ２１０が収集したデータから加入者により名寄せした取得データベース５３１を生成するモジュールである。リスクレベル導出モジュール９５４は、取得データベース５３１に格納された健康状態関連のデータから、各加入者のリスクレベルを導出するモジュールである。健康管理状況評価モジュール９５５は、取得データベース５３１に格納された健康管理関連のデータから、各加入者の治療状況を含む健康管理状況を評価するモジュールである。保健事業対象者選定モジュール９５６は、リスクレベルや健康管理状況を考慮して、対象者選定条件に従って、保健事業が必要となる加入者を対象者として選定するモジュールである。保健事業通知モジュール９５７は、保健事業が必要となる対象者に保健事業の勧奨通知を送信するモジュールである。
【０１０７】
なお、図９のＲＡＭ９４０やストレージ９５０には、情報処理装置としての保健事業管理支援サーバ２１０が有する汎用の機能や他の実現可能な機能に関連するプログラムやデータは図示されていない。
【０１０８】
《保健事業管理支援サーバの処理手順》
図１０Ａは、本実施形態に係る情報処理装置としての保健事業管理支援サーバ２１０の処理手順を示すフローチャートである。図１０Ａのフローチャートは、図９のＣＰＵ９１０がＲＡＭ９４０を使用して実行し、図５Ｂの機能構成部を実現する。
【０１０９】
保健事業管理支援サーバ２１０は、ステップＳ１０１１において、保健事業管理支援サーバ２１０が保険者の管理に使用するデータの取得であるか否かを判定する。保険者の管理に使用するデータの取得であると判定された場合、保健事業管理支援サーバ２１０は、ステップＳ１０１３において、管理データ取得処理を実行する。
【０１１０】
保険者の管理に使用するデータの取得でないと判定された場合、保健事業管理支援サーバ２１０は、ステップＳ１０２１において、保健事業管理の処理であるか否かを判定する。保健事業管理の処理であると判定された場合、保健事業管理支援サーバ２１０は、ステップＳ１０２３において、保健事業対象者選定処理を実行する。そして、保健事業管理支援サーバ２１０は、ステップＳ１０２５において、対象者に対して必要な保健事業の通知処理を実行する。
【０１１１】
保険者の管理に使用するデータの取得でなく、保健事業管理の処理でないと判定された場合、保健事業管理支援サーバ２１０は、ステップＳ１０３１において、他の処理であるか否かを判定する。他の処理であると判定された場合、保健事業管理支援サーバ２１０は、ステップＳ１０３３において、他の処理を実行する。
【０１１２】
（管理データ取得処理）
図１０Ｂは、本実施形態に係る管理データ取得処理（Ｓ１０１３）の手順を示すフローチャートである。
【０１１３】
保健事業管理支援サーバ２１０は、ステップＳ１０４１において、情報入力部５４０からの個人の属性情報の取得を待って、個人の属性情報の入力があれば、保健事業管理支援サーバ２１０は、ステップＳ１０４３において、取得した個人の属性情報をデータベース５０３に登録する。
【０１１４】
保健事業管理支援サーバ２１０は、ステップＳ１０４５において、情報入力部５４０からの健康状態関連情報としての健診情報などの取得、または通信端末２４１、２４２からのアンケート情報などの取得を待つ。健診情報やアンケート情報などの健康状態関連情報の取得があれば、保健事業管理支援サーバ２１０は、ステップＳ１０４７において、取得した健康状態関連情報をデータベース５０３に登録する。
【０１１５】
保健事業管理支援サーバ２１０は、ステップＳ１０４９において、情報入力部５４０からの健康管理関連情報としてのレセプト情報の取得を待つ。レセプト情報の取得があれば、保健事業管理支援サーバ２１０は、ステップＳ１０５１において、取得したレセプト情報を含む健康管理関連情報をデータベース５０３に登録する。
【０１１６】
保健事業管理支援サーバ２１０は、ステップＳ１０５３において、通信制御部５０１を介した通信端末２４１、２４２からの他の健康状態関連情報の受信を待つ。受信があれば、保健事業管理支援サーバ２１０は、ステップＳ１０５３において、受信した他の健康状態関連情報をデータベース５０３に登録する。
【０１１７】
（保健事業対象者選定処理）
図１０Ｃは、本実施形態に係る保健事業対象者選定処理（Ｓ１０２３）の手順を示すフローチャートである。
【０１１８】
保健事業管理支援サーバ２１０は、ステップＳ１０６１において、各加入者の健診情報を含む健康状態関連情報をデータベース５０３の取得データベース５３１から取得する。保健事業管理支援サーバ２１０は、ステップＳ１０６３において、各加入者の健診情報などを含む健康状態関連情報から各リスクについてリスクレベルを導出してデータベース５０３の処理データベース５３２に設定する。
【０１１９】
保健事業管理支援サーバ２１０は、ステップＳ１０６５において、各加入者のレセプト情報を含む保健管理関連情報をデータベース５０３の取得データベース５３１から取得する。保健事業管理支援サーバ２１０は、ステップＳ１０６７において、各加入者のレセプト情報などを含む保健管理関連情報から治療内容を含む健康管理状況を抽出してデータベース５０３の処理データベース５３２に設定する。また、保健事業管理支援サーバ２１０は、ステップＳ１０６９において、各加入者のレセプト情報などの健康管理関連情報から意識レベルを導出してデータベース５０３の処理データベース５３２に設定する。
【０１２０】
保健事業管理支援サーバ２１０は、ステップＳ１０７１において、登録された全加入者に対して処理済みであるか否かを判定する。全加入者に対して処理済みでないと判定された場合、保健事業管理支援サーバ２１０は、ステップＳ１０６１に戻って、次の加入者に対してステップＳ１０６１〜Ｓ１０６９までの処理を繰り返す。
【０１２１】
全加入者に対して処理済みであると判定された場合、保健事業管理支援サーバ２１０は、ステップＳ１０７３において、通信端末２４１から対象者選定条件を受信したか否かを判定する。対象者選定条件を受信してないと判定されれば、保健事業管理支援サーバ２１０は、ステップＳ１０７３において、法定階層化および本例階層化により、保健事業対象者を選定する。一方、対象者選定条件を受信したと判定されれば、保健事業管理支援サーバ２１０は、ステップＳ１０７５において、対象者選定条件に合致するリスクレベルを有し、健康管理状況としての治療内容および意識レベルに対応する保健事業対象者を選定する。そして、保健事業管理支援サーバ２１０は、ステップＳ１０７９において、通信端末２４１（または２４２）に選定結果を出力する。
【０１２２】
《通信端末の機能構成》
図１１は、本実施形態に係る通信端末２４１の機能構成を示すブロック図である。なお、図１１では、本実施形態の処理と関連が少ない機能構成部は省略している。また、図１１にはオペレータ用の通信端末２４１の構成を示し、加入者用の通信端末２４２の構成については省略する。
【０１２３】
通信端末２４１は、通信制御部１１０１と、アプリ取得部１１０２と、アプリ実行部１１０３と、入出力インタフェース１１０４と、を備える。入出力インタフェース１１０４には、出力情報や通信端末２４１の状態を表示する表示部１１４１と、通信端末２４１の動作を指示する操作部１１４２と、オプションとして印刷部１１４３や記憶媒体１１４４と、が接続される。通信制御部１１０１は、ネットワークを介した、保健事業管理支援サーバ２１０との通信を制御する。アプリ取得部１１０２は、保健事業管理支援サーバ２１０から提供される加入者用の保健事業管理アプリケーションを取得する。
【０１２４】
アプリ実行部１１０３は、表示／操作制御部１１３１と、対象者選定条件取得部１１３６と、対象者選定条件送信部１１３７と、保健事業対象者取得部１１３８と、保健事業対象者出力部１１３９と、を備える。
【０１２５】
表示／操作制御部１１３１は、表示部１１４１への出力および操作部１１４２からの入力を制御する。対象者選定条件取得部１１３６は、表示部１１４１に表示された対象者選定条件設定画面から操作部１１４２により設定された対象者選定条件を取得する。対象者選定条件送信部１１３７は、対象者選定条件取得部１１３６が取得した対象者選定条件を保健事業管理支援サーバ２１０に送信する。保健事業対象者取得部１１３８は、保健事業管理支援サーバ２１０で対象者選定条件も用いた保健事業の提供が必要とされる加入者である対象者の選定結果を取得する。保健事業対象者出力部１１３９は、保健事業対象者取得部１１３８が保健事業管理支援サーバ２１０から取得した保健事業の提供が必要とされる加入者である対象者の情報を表示部１１４１、印刷部１１４３または記憶媒体１１４４に出力する。
【０１２６】
なお、図１１では、保健事業についての電子メールの加入者への一斉送信やファクシミリ送信を指示する構成については省略している。
【０１２７】
《通信端末の処理手順》
図１２Ａは、本実施形態に係る通信端末２４１の処理手順を示すフローチャートである。このフローチャートは、通信端末２４１を構成するストレージに格納されたプログラムをＣＰＵがＲＡＭを使用して実行し、図１１の機能構成部を実現する。
【０１２８】
通信端末２４１は、ステップＳ１２３１において、保健事業の提供が必要となる対象者の選定指示であるか否かを判定する。対象者の選定指示であると判定された場合、通信端末２４１は、ステップＳ１２３３において、対象者選定要求処理を実行する。
【０１２９】
対象者の選定指示でないと判定される場合、通信端末２４１は、ステップＳ１２４１において、その他の処理であるか否かを判定する。その他の処理であると判定さる場合、通信端末２４１は、ステップＳ１２４３において、その他の処理を実行する。
【０１３０】
（保健事業対象者要求処理）
図１２Ｂは、本実施形態に係る保健事業対象者要求処理（Ｓ１２３３）の手順を示すフローチャートである。
【０１３１】
通信端末２４１は、ステップＳ１２５１において、対象者選定条件を入力しない保健事業の提供が必要となる全対象者の保健事業管理支援サーバ２１０からの受信を待つ。全対象者の受信があると、通信端末２４１は、ステップＳ１２５３において、保健事業管理支援サーバ２１０から受信した保健事業の提供が必要となる全対象者の情報を所定のフォーマットで出力する。
【０１３２】
通信端末２４１は、ステップＳ１２５５において、保健事業管理支援サーバ２１０への対象者選定条件の送信を待つ。保健事業管理支援サーバ２１０への対象者選定条件の送信があると、通信端末２４１は、ステップＳ１２５７において、保健事業管理支援サーバ２１０からの選定結果の受信を待つ。保健事業管理支援サーバ２１０からの選定結果の受信があると、通信端末２４１は、ステップＳ１２５９において、受信した選定結果である保健事業の提供が必要となる対象者の情報を出力する。
【０１３３】
通信端末２４１は、ステップＳ１２６１において、保健事業の提供が必要となる対象者への保健事業の電子メール通知の指示があるか否かを判定する。電子メール通知の指示があると判定されると、通信端末２４１は、ステップＳ１２６３において、対象者へ保健事業の通知を一斉送信する。
【０１３４】
本実施形態によれば、加入者のリスクレベルおよび治療状況を含む健康管理状況を考慮して対象者を絞り込み、対象者の選定と保健事業の選定とを対応付けることにより、効率的に保健事業を管理することができる。特に、治療状況から加入者の健康への意識レベルを考慮するので、保健事業への勧誘が成功する適切な範囲に対し、保健事業を実行することができる。
【０１３５】
［第３実施形態］
次に、本発明の第３実施形態に係る情報処理装置としての保健事業管理支援サーバについて説明する。本実施形態に係る保健事業管理支援サーバは、上記第２実施形態と比べると、さらに加入者の保健事業への参加履歴を取得し、保健事業への参加履歴を参照して加入者の健康管理への意識レベルを導出する点で異なる。本実施形態の保健事業管理支援サーバは、データベースに、加入者と、健康状態関連情報と、健康管理関連情報としてのレセプト情報および保健事業への参加履歴とを関連付けて記憶する。そして、リスクの種類がリスク指定されると、指定されたリスクの種類に対応するリスクレベルと、健康管理関連情報としての治療状況および保健事業への参加履歴とを考慮して、保健事業の提供が必要とされる加入者である対象者を選定する。その他の構成および動作は、第２実施形態と同様であるため、同じ構成および動作については同じ符号を付してその詳しい説明を省略する。
【０１３６】
《情報処理システム》
図１３および図１４を参照して、本実施形態の情報処理装置としての保健事業管理支援サーバ１３１０を含む情報処理システム１３００の動作を説明する。
【０１３７】
（動作概要）
図１３は、本実施形態に係る情報処理装置としての保健事業管理支援サーバ１３１０を含む情報処理システム１３００の動作概要を示す図である。なお、図１３において、図４Ａと同様の構成要素には同じ参照番号を付して、重複する説明を省略する。
【０１３８】
表示画面１３４３は、本実施形態における、保健事業への参加を推奨あるいは勧誘する加入者を効率的に選定（絞り込む）ための対象者選定条件の入力画面である。表示画面１３４３は、リスク条件と受診条件と保健事業条件とを含む。また、保健事業条件には、事業Ａへの参加／不参加や事業Ｂへの参加／不参加の設定が示されている。なお、対象者選定条件の種類は、図１３に限定されるものではない。
【０１３９】
（動作シーケンス）
図１４は、本実施形態に係る情報処理装置としての保健事業管理支援サーバ１３１０を含む情報処理システム１３００の動作手順を示すシーケンス図である。なお、図１４において、図３Ａと同様のステップには同じステップ番号を付して、重複する説明を省略する。
【０１４０】
保険者２２０からは、ステップＳ１４０８において、健康管理関連情報として加入者の保健事業への参加情報を保健事業管理支援サーバ１３１０に報告する。また、通信端末２４１，２４２からは、ステップＳ１４１０において、健康管理関連情報として加入者の保健事業への参加情報を保健事業管理支援サーバ１３１０に報告する。保健事業管理支援サーバ１３１０は、加入者の保健事業への参加情報を保険者２２０または通信端末２４１，２４２から取得して、加入者に関連付けてデータベース５０３に格納する。
【０１４１】
《仮想の保健事業管理支援サーバ》
図１５は、本実施形態に係る情報処理装置としての仮想の保健事業管理支援サーバ１３１０の機能構成を示すブロック図である。なお、図１５において、図５Ｂと同様の機能構成部には同じ参照番号を付して、重複する説明を省略する。
【０１４２】
仮想の保健事業管理支援サーバ１３１０は、データベース１５０３を備える。データベース１５０３は、健康管理関連情報として保健事業の参加に関する情報を含む取得データベース１５３１を有する。また、データベース１５０３は、加入者が参加した保健事業の内容と、健康管理関連情報としてのレセプト情報や保健事業参加情報から導出された意識レベルと、を含む処理データベース１５３２を有する。
【０１４３】
また、仮想の保健事業管理支援サーバ１３１０は、保健事業参加情報取得部１５４３と、意識レベル導出部１５４７と、保健事業対象者選定部１５４８と、健康管理関連情報取得部１５５２と、を有する。保健事業参加情報取得部１５４３は、情報入力部５４０または通信端末２４１，２４２から保健事業参加情報を取得する。健康管理関連情報取得部１５５２は、通信端末２４１，２４２から他の保健管理関連情報を取得する。意識レベル導出部１５４７は、処理データベース１５３２に格納された、健康管理関連情報としての加入者が受診した治療内容および参加した保健事業内容から、加入者の健康維持への意識レベルを導出する。保健事業対象者選定部１５４８は、保健事業対象者選定テーブル１５４９を有し、加入者の保健事業への参加／不参加の履歴も考慮に入れて、保健事業を推奨あるいは勧誘する加入者である対象者を選定する。
【０１４４】
（取得データベース）
図１６は、本実施形態に係る取得データベース１５３１の構成を示す図である。なお、図１６において、図６と同様の構成要素には同じ参照番号を付して、重複する説明は省略する。
【０１４５】
取得データベース１５３１には、さらに、保健事業管理支援サーバ１３１０があらかじめ収集して保持する、あるいは、オペレータ用の通信端末２４１から取得した保健事業情報１６３０が含まれている。保健事業情報１６３０は、加入者ＩＤ１６３１に対応付けて保健事業参加情報１６３２を記憶する。保健事業参加情報１６３２は、保健事業への参加日時と事業内容とを含んでいる。
【０１４６】
（処理データベース）
図１７Ａは、本実施形態に係る処理データベース１５３２の構成を示す図である。なお、図１７Ａにおいて、図７Ａと同様の構成要素には同じ参照番号を付して、重複する説明は省略する。
【０１４７】
処理データベース１５３２には、治療状況および保健事業参加状況を含む健康管理関連情報から評価された加入者の健康管理状況１７１４が含まれる。健康管理状況１７１４には、保健事業参加内容１７４２と、治療内容と保健事業参加内容から導出された意識レベル１７４３が記憶されている。保健事業参加内容１７４２は、保健事業を識別する事業ＩＤに対応付けて、保健事業への参加日時と、保健事業の事業内容と、参加感想などを含む参加結果とを記憶する。ここで、意識レベル１７４３は、加入者が受診した治療内容７４２から導出された意識レベル、加入者が参加した保健事業参加内容１７４２から導出された意識レベル、さらに、治療内容７４２および保健事業参加内容１７４２から導出された意識レベルを含んでよい。また、意識レベル１７４３は、各リスクに対する意識レベルと、健康全体に対するトータル意識レベルと、を含む。
【０１４８】
（意識レベル導出テーブル）
図１７Ｂは、本実施形態に係る加入者の意識レベルを導出する意識レベル導出テーブル１７８０の構成を示す図である。意識レベル導出テーブル１７８０は、各リスクについて、リスクレベルと、健康管理状況としての治療状況／対処状況および保健事業への参加状況を考慮して、加入者のリスクを軽減したい意識の度合いを導出するために、意識レベル導出部１５４７で使用される。なお、意識レベル導出テーブル１７８０は一例であって、これに限定されない。保健事業管理支援サーバ１３１０が収集可能な情報を用いて、加入者のリスクを軽減したい意識の度合いを導出する種々の情報とその組み合わせが可能である。なお、図１７Ｂにおいて、図７Ｄと同様の構成要素には同じ参照番号を付して、重複する説明は省略する。図１７Ｂには、治療内容７４２および保健事業参加内容１７４２から導出された意識レベルの例のみが示されている。
【０１４９】
意識レベル導出テーブル１７８０には、意識レベル７８４を導出する条件として、健康管理状況１７８３として保健事業への参加状況が記憶されている。
【０１５０】
（保健事業対象者選定テーブル）
図１８は、本実施形態に係る保健事業対象者選定テーブル１５４９の構成を示す図である。なお、図１８において、図８と同様の構成要素には同じ参照番号を付して、重複する説明は省略する。
【０１５１】
保健事業対象者選定テーブル１５４９は、対象者選定条件１８０１の意識レベルとして、受診内容と保健事業の参加内容とが参照された意識レベルを考慮する。
【０１５２】
（管理データ取得処理）
図１９Ａは、本実施形態に係る管理データ取得処理（Ｓ１０１３）の手順を示すフローチャートである。なお、図１９Ａにおいて、図１０Ｂと同様のステップには同じステップ番号を付して、重複する説明は省略する。
【０１５３】
保健事業管理支援サーバ１３１０は、ステップＳ１９４５において、情報入力部５４０や通信端末２４１，２４２からの参加した保健事業関連情報やアンケート情報などの取得を待つ。保健事業関連情報やアンケート情報などの取得があれば、保健事業管理支援サーバ１３１０は、ステップＳ１９４７において、取得した保健事業参加情報を含む健康管理関連情報を加入者に対応付けてデータベース５０３に登録する。さらに、保健事業管理支援サーバ１３１０は、ステップＳ１９５５において、他の健康状態関連情報、または、他の健康管理関連情報を通信端末２４１，２４２から受信して、加入者に対応付けてデータベース５０３に登録する。
【０１５４】
（保健事業対象者選定処理）
図１９Ｂは、本実施形態に係る保健事業対象者選定処理（Ｓ１０２３）の手順を示すフローチャートである。なお、図１９Ｂにおいて、図１０Ｃと同様のステップには同じステップ番号を付して、重複する説明は省略する。
【０１５５】
保健事業管理支援サーバ１３１０は、ステップＳ１９６８において、各加入者の保健事業参加情報をデータベース１５０３の取得データベース１５３１から主付くする。保健事業管理支援サーバ１３１０は、ステップＳ１９６９において、各加入者の健康管理関連情報としての治療内容および保健事業参加内容などから意識レベルを導出してデータベース１５０３の処理データベース１５３２に設定する。
【０１５６】
全加入者に対して処理済みであると判定された場合、保健事業管理支援サーバ１３１０は、ステップＳ１９７３において、通信端末２４１から保健事業参加を含む対象者選定条件を受信したか否かを判定する。対象者選定条件を受信したと判定されれば、保健事業管理支援サーバ１３１０は、ステップＳ１９７５において、対象者選定条件に合致するリスクレベルを有し、健康管理状況としての治療内容、保健事業参加内容および意識レベルに対応する保健事業対象者を選定する。
【０１５７】
本実施形態によれば、加入者のリスクレベルと、健康管理状況としての治療状況および保健事業への参加情報を考慮して対象者を絞り込み、対象者の選定と保健事業の選定とを対応付けることにより、効率的に保健事業を管理することができる。すなわち、保健事業への参加意欲までを考慮に入れるので、保健事業への勧誘がより成功する適切な範囲に対して保健事業を実施することができる。
【０１５８】
［第４実施形態］
次に、本発明の第３実施形態に係る情報処理装置としての保健事業管理支援サーバについて説明する。本実施形態に係る保健事業管理支援サーバは、上記第２実施形態および第３実施形態と比べると、加入者に保健事業の提供が必要な度合いである必要レベルを求めて、必要レベルにより保健事業を管理する点で異なる。本実施形態においては、リスクレベルの重度、重度レベルであるリスク数および治療レベルの少なくとも１つを参照して、加入者に保健事業の提供が必要な度合いを示す必要レベルを設定する。その他の構成および動作は、第２実施形態または第３実施形態と同様であるため、同じ構成および動作については同じ符号を付してその詳しい説明を省略する。
【０１５９】
《情報処理システムの動作概要》
図２０は、本実施形態に係る情報処理装置としての保健事業管理支援サーバ２０１０を含む情報処理システム２０００の動作概要を示す図である。なお、図２０において、図４Ａと同様の構成要素には同じ参照番号を付して、重複する説明を省略する。
【０１６０】
表示画面２０３３は、本実施形態における、保健事業への参加を推奨あるいは勧誘する加入者を効率的に選定（絞り込む）ための対象者選定条件の入力画面である。表示画面２０３３の対象者選定条件は、リスク条件と受診条件とレベル条件とを含む。また、レベル条件には、必要レベルの閾値（α）の設定やリスクレベルの閾値（β）の設定が示されている。なお、対象者選定条件の種類は、図２０に限定されるものではない。
【０１６１】
《仮想の保健事業管理支援サーバ》
図２１は、本実施形態に係る情報処理装置としての仮想の保健事業管理支援サーバ２０１０の機能構成を示すブロック図である。なお、図２１において、図５Ｂと同様の機能構成部には同じ参照番号を付して、重複する説明を省略する。
【０１６２】
仮想の保健事業管理支援サーバ２０１０は、データベース２１０３を備える。データベース２１０３は、リスクレベル、治療内容、意識レベルと、さらに、保健事業の提供が必要となる加入者における参加の必要レベルとを含む処理データベース２１３２を有する。
【０１６３】
仮想の保健事業管理支援サーバ２０１０は、保健事業対象者選定部２１４８と、必要レベルを含む対象者選定条件取得部２１５０と、さらに、必要レベル導出部２１５２と、を有する。保健事業対象者選定部２１４８は、保健事業対象者選定テーブル２１４９を有し、対象者選定条件として必要レベルを考慮して、加入者から保健事業を必要とする対象者を選定する。対象者選定条件取得部２１５０は、通信端末２４１から必要レベルを含む対象者選定条件を取得する。必要レベル導出部２１５２は、リスクレベル導出部５４５が導出したリスクレベルと、治療内容抽出部５４６が抽出した治療内容と、意識レベル導出部５４７が導出した意識レベルとを考慮して、加入者の保健事業への参加の必要レベルを導出する。なお、意識レベルは、第３実施形態における意識レベル導出部１５４７によって導出したものでもよい。必要レベルは、処理データベース２１３２に保持されるとともに、保健事業対象者選定部２１４８において対象者選定条件として考慮される。
【０１６４】
（処理データベース）
図２２は、本実施形態に係る処理データベース２１３２の構成を示す図である。なお、図２２において、図７Ａと同様の構成要素には同じ参照番号を付して、重複する説明を省略する。
【０１６５】
処理データベース２１３２は、さらに、必要レベル導出部２１５２が導出した必要レベル２２１８を記憶する。なお、処理データベース２１３２には、第３実施形態における、治療状況および保健事業参加状況を含む健康管理状況１７１４が含まれてもよい。
【０１６６】
（保健事業対象者選定テーブル）
図２３Ａは、本実施形態に係る保健事業対象者選定テーブル２１４９の構成を示す図である。なお、図２３Ａにおいて、図８と同様の構成要素には同じ参照番号を付して、重複する説明を省略する。
【０１６７】
保健事業対象者選定テーブル２１４９は、対象者選定条件２３０１として、必要レベルが含まれる。
【０１６８】
図２３Ｂは、本実施形態に係る保健事業の必要レベルを求める一例を示す図である。図２３Ｂには、リスクが重複する場合の必要レベルの導出の例が示されているが、これの限定されるものではない。
【０１６９】
リスクの重複状況２３１０には、リスクの重なり具合が図示されている。重なったリスク個数２３２０は、リスクの重複表２３３０に示されるように、必要レベルとしても使用される。さらに、重複するリスクの種類の組み合わせ、各リスクのリスクレベルの組み合わせなどから、加入者が保健事業に参加する必要レベルが導出される。必要レベルは、各加入者に対応レベルが設定されても、加入者の各保健事業に対する参加優先順位として設定されてもよい。
【０１７０】
（必要レベル導出テーブル）
図２３Ｃは、本実施形態に係る必要レベルを導出する必要レベル導出テーブル２３４０の構成を示す図である。必要レベル導出テーブル２３４０は、各加入者について、リスク状況と、健康管理状況としての治療状況／対処状況および保健事業参加状況などを考慮して、加入者が保健事業の参加する必要レベルの度合いを導出するために、必要レベル導出部２１５２で使用される。なお、必要レベルとして、各リスクレベルをそのまま使用することも可能であるが、図２３Ｃでは、健康管理状況としての治療状況や保健事業参加状況なども考慮した必要レベルの導出について示す。図２３Ｃの必要レベル導出テーブル２３４０は一例であって、これに限定されない。保健事業管理支援サーバ２０１０が収集可能な情報を用いて、保健事業に参加する必要レベルの度合いを導出する種々の情報とその組み合わせが可能である。
【０１７１】
必要レベル導出テーブル２３４０は、加入者ＩＤ２３４１に対応付けて、リスク状況２３４２と、治療状況および保健事業参加状況を含む健康管理状況２３４３と、を記憶する。そして、必要レベル導出テーブル２３４０は、リスク状況２３４２と、治療状況および保健事業参加状況を含む健康管理状況２３４３とに基づいて導出された必要レベル２３４４を記憶する。リスク状況２３４２は、重複リスクと各リスクのリスクレベルとを含む。治療状況および保健事業参加状況を含む健康管理状況２３４３は、治療内容と事業参加内容および導出された意識レベルを含む。必要レベル２３４４は、各リスクに対する必要レベルと、加入者に対して総合した必要レベルと、を含む。
【０１７２】
（保健事業対象者選定処理）
図２４は、本実施形態に係る保健事業対象者選定処理（Ｓ１０２３）の手順を示すフローチャートである。なお、図２４において、図１０Ｃと同様のステップには同じステップ番号を付して、重複する説明を省略する。
【０１７３】
保健事業管理支援サーバ２０１０は、ステップＳ２４７０において、リスクレベルと、健康管理状況としての治療内容および意識レベルなどから必要レベルを導出して各加入者および各加入者の各リスクに必要レベル設定を行う。
【０１７４】
全加入者に対して処理済みであると判定された場合、保健事業管理支援サーバ２０１０は、ステップＳ２４７３において、通信端末２４１から必要レベルを含む対象者選定条件を受信したか否かを判定する。対象者選定条件を受信したと判定されれば、保健事業管理支援サーバ２０１０は、ステップＳ２４７５において、対象者選定条件に合致するリスクレベルを有し、健康管理状況としての治療内容、保健事業参加内容および意識レベル、必要レベルに対応する保健事業対象者を選定する。
【０１７５】
本実施形態によれば、加入者のリスクレベルと、健康管理状況としての治療状況および保健事業の必要レベルを考慮して対象者を絞り込み、対象者の選定と保健事業の選定とを対応付けることにより、効率的に保健事業を管理することができる。すなわち、加入者の保健事業への参加の重要度を考慮して対象者を選定するので、効果的で効率的な保健事業を実施することができる。
【０１７６】
［他の実施形態］
なお、保健事業管理支援サーバと加入者の通信端末との情報のやり取りをメールでのやり取りで説明したが、メールに限らず加入者の通信端末に所定のアプリを持たせて問い合わせや表示をする構成であってもよい。また、書面や電話などの通信手段を利用する構成であってもよい。
【０１７７】
また、上記実施形態においては、保健事業対象者選定において、コストについて考慮されていない。しかし、加入者が疾病により入院した場合や受診した場合の費用や、加入者の入院などによる会社などへの損失、そして、保健事業の実施コストとその効果、などを考慮して、保健事業対象者の選定結果を調整することも可能であり、かかる処理も本発明に含まれる。
【０１７８】
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。すなわち、加入者のリスクレベル、治療状況、保健事業への参加情報、および保健事業の必要レベルに限定されない種々の組み合わせによって、より適切で効率的に保健事業を管理することができる。
【０１７９】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【要約】      （修正有）【課題】健康管理状況を考慮して対象者を絞り込み対象者の選定と保健事業の選定とを対応付けることにより、効率的に保健事業を管理する情報処理システム、情報処理装置、情報処理方法、情報処理プログラム、通信端末およびその制御方法と制御プログラムを提供する。【解決手段】情報処理システム１００は、保険者に加入する加入者の中で保健事業の提供が必要とされる加入者を選定する加入者選定部１０１と、加入者に提供する保健事業を選定する保健事業選定部１０２と、選定された加入者と選定された保健事業とを対応付けるよう制御する制御部１０３と、を備える。【選択図】図１【図１】
0006755572.tif 000002
【図２Ａ】
0006755572.tif 000003
【図２Ｂ】
0006755572.tif 000004
【図２Ｃ】
0006755572.tif 000005
【図２Ｄ】
0006755572.tif 000006
【図３Ａ】
0006755572.tif 000007
【図３Ｂ】
0006755572.tif 000008
【図３Ｃ】
0006755572.tif 000009
【図３Ｄ】
0006755572.tif 000010
【図３Ｅ】
0006755572.tif 000011
【図３Ｆ】
0006755572.tif 000012
【図３Ｇ】
0006755572.tif 000013
【図４Ａ】
0006755572.tif 000014
【図４Ｂ】
0006755572.tif 000015
【図５Ａ】
0006755572.tif 000016
【図５Ｂ】
0006755572.tif 000017
【図６】
0006755572.tif 000018
【図７Ａ】
0006755572.tif 000019
【図７Ｂ】
0006755572.tif 000020
【図７Ｃ】
0006755572.tif 000021
【図７Ｄ】
0006755572.tif 000022
【図８】
0006755572.tif 000023
【図９】
0006755572.tif 000024
【図１０Ａ】
0006755572.tif 000025
【図１０Ｂ】
0006755572.tif 000026
【図１０Ｃ】
0006755572.tif 000027
【図１１】
0006755572.tif 000028
【図１２Ａ】
0006755572.tif 000029
【図１２Ｂ】
0006755572.tif 000030
【図１３】
0006755572.tif 000031
【図１４】
0006755572.tif 000032
【図１５】
0006755572.tif 000033
【図１６】
0006755572.tif 000034
【図１７Ａ】
0006755572.tif 000035
【図１７Ｂ】
0006755572.tif 000036
【図１８】
0006755572.tif 000037
【図１９Ａ】
0006755572.tif 000038
【図１９Ｂ】
0006755572.tif 000039
【図２０】
0006755572.tif 000040
【図２１】
0006755572.tif 000041
【図２２】
0006755572.tif 000042
【図２３Ａ】
0006755572.tif 000043
【図２３Ｂ】
0006755572.tif 000044
【図２３Ｃ】
0006755572.tif 000045
【図２４】
0006755572.tif 000046